(57)【要約】【課題】換気に伴う室内の温度上昇を抑えた換気空調装置を提供することを目的とする。【解決手段】換気空調装置１Ａは、外気吸込口５から給気ファン２ａ、間接気化冷却ユニット４のプロダクトエア流路１１ｂを通り、給気吹出口６へ連通した給気流路９Ａと、室内と連通した還気吸込口７から間接気化冷却ユニット４のワーキングエア流路１１ａ、排気ファン２ｂを通り、排気吹出口８へ連通した排気流路１０Ａを備える。還気ＲＡに空気調和された室内の空気を利用することで、夏季は冷やされた空気がワーキングエアＷＡとなり、間接気化冷却ユニット４における冷却能力が向上して、外気ＯＡを室内温度と同等あるいは室内温度以下に冷却して供給することができる。【選択図】        図１
2006145145.tif 000002
【特許請求の範囲】
【請求項１】
室外と連通した外気吸込口から、室内と連通した給気吹出口へのエアの流れを生成する給気ファンと、
前記給気吹出口とは独立して室内と連通した還気吸込口から、前記外気吸込口とは独立して室外と連通した排気吹出口へのエアの流れを生成する排気ファンと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記外気吸込口から前記間接気化冷却ユニットの前記プロダクトエア流路を通り、前記給気吹出口へ連通した給気流路と、
前記還気吸込口から前記間接気化冷却ユニットの前記ワーキングエア流路を通り、前記排気吹出口へ連通した排気流路とを備えた
ことを特徴とする換気空調装置。
【請求項２】
室外と連通した外気吸込口から、室内と連通した給気吹出口へのエアの流れを生成する給気ファンと、
前記給気吹出口とは独立して室内と連通した還気吸込口から、前記外気吸込口とは独立して室外と連通した排気吹出口へのエアの流れを生成する排気ファンと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記外気吸込口から前記間接気化冷却ユニットの前記プロダクトエア流路を通り、前記給気吹出口へ連通した給気流路と、
前記還気吸込口から前記間接気化冷却ユニットの前記ワーキングエア流路を通り、前記排気吹出口へ連通した排気流路とを備え、
建物内の所定の換気量が満たされるように、前記還気吸込口から吸い込まれる室内の空気の量と、前記給気吹出口から室内に吹き出す空気の量を調整して、連続的または断続的に常時換気を行う
ことを特徴とする換気空調装置。
【請求項３】
室内と連通した還気吸込口から、室外と連通した排気吹出口へのエアの流れを生成する排気ファンと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記還気吸込口から前記間接気化冷却ユニットの前記プロダクトエア流路を通り、前記還気吸込口とは独立して室内と連通した給気吹出口へ連通した給気流路と、
前記還気吸込口から前記間接気化冷却ユニットの前記ワーキングエア流路を通り、前記排気吹出口へ連通した排気経路とを備えた
ことを特徴とする換気空調装置。
【請求項４】
室内と連通した還気吸込口から、室外と連通した排気吹出口へのエアの流れを生成する排気ファンと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記間接気化冷却ユニットに設けられ、給排水を行う給排水装置と、
前記還気吸込口から前記間接気化冷却ユニットの前記プロダクトエア流路を通り、前記還気吸込口とは独立して室内と連通した給気吹出口へ連通した給気流路と、
前記還気吸込口から前記間接気化冷却ユニットの前記ワーキングエア流路を通り、前記排気吹出口へ連通した排気経路とを備え、
建物内の所定の換気量が満たされるように、前記還気吸込口から吸い込まれる室内の空気の量と、前記給気吹出口から室内に吹き出す空気の量を調整して、連続的または断続的に常時換気を行う
ことを特徴とする換気空調装置。
【請求項５】
前記還気吸込口から吸い込まれる室内の空気の量と、前記給気吹出口から室内に吹き出す空気の量が同等となるように調整して常時換気を行う
ことを特徴とする請求項２または４記載の換気空調装置。
【請求項６】
前記間接気化冷却ユニットの前記プロダクトエア流路を流れるプロダクトエアの出口湿度を検出する湿度センサと、
前記湿度センサで検出された前記プロダクトエアの出口湿度に応じて、前記プロダクトエアもしくは前記ワーキングエアの少なくとも一方の流量を制御する制御手段とを備えた
ことを特徴とする請求項１〜５の何れかに記載の換気空調装置。
【請求項７】
前記制御手段は、前記湿度センサで検出された前記プロダクトエアの出口湿度が所定値以上となると、換気動作を停止または抑制する
ことを特徴とする請求項６記載の換気空調装置。
【請求項８】
前記制御手段は、前記湿度センサで検出された前記プロダクトエアの出口湿度が所定値以上となると、前記プロダクトエアの出口湿度が下がるように、前記プロダクトエアの流量あるいは前記ワーキングエアの流量の少なくとも一方を制御する
ことを特徴とする請求項６記載の換気空調装置。
【請求項９】
前記間接気化冷却ユニットの前記プロダクトエア流路を流れるプロダクトエアの出口温度を検出する温度センサを備え、
前記制御手段は、前記湿度センサで検出された前記プロダクトエアの出口湿度が所定値以上となると、前記温度センサで検出された前記プロダクトエアの出口温度から前記プロダクトエアにおける除湿量を求めて、所望の除湿量が得られるように、プロダクトエアの流量あるいはワーキングエアの流量の少なくとも一方を制御する
ことを特徴とする請求項６記載の換気空調装置。
【請求項１０】
設定湿度を記憶する書き換え可能なメモリと、
前記メモリに記憶する設定湿度を設定する設定手段とを備え、
前記制御手段は、前記メモリに記憶された設定湿度が得られるように、プロダクトエアの流量あるいはワーキングエアの流量の少なくとも一方を制御する
ことを特徴とする請求項９記載の換気空調装置。
【請求項１１】
前記間接気化冷却ユニットの前記プロダクトエア流路で発生した結露水を回収する結露水処理手段を備えた
ことを特徴とする請求項６〜１０の何れかに記載の換気空調装置。
【請求項１２】
前記ワーキングエアもしくは前記プロダクトエアの少なくとも一方の流量を調整する流量制御手段を備えて、前記給気吹出口からの給気温度を制御する
ことを特徴とする請求項１〜１１の何れかに記載の換気空調装置。
【請求項１３】
前記給気吹出口と前記還気吸込口を備えると共に、前記各給気吹出口から吹き出されるエアと前記各還気吸込口から吸い込まれるエアの少なくとも一方の流量を調整する流量調整手段を備え、各給気吹出口からの給気流量あるいは各還気吸込口からの吸気流量の少なくとも一方が制御される
ことを特徴とする請求項１〜１２に何れか記載の換気空調装置。
【請求項１４】
前記請求項１〜１３の何れかに記載の換気空調装置と、
室内の空気の温度制御を行う空気調和装置を備えた
ことを特徴とする空調システム。
【請求項１５】
前記請求項１〜１３の何れかに記載の換気空調装置または請求項１４に記載の空調システムを備えた
ことを特徴とする建物。
【発明の詳細な説明】
【技術分野】
【０００１】
本発明は、室内と室外で換気を行う換気空調装置、この換気空調装置を備えた空調システム及び建物に関する。詳しくは、水の気化熱を利用して空気を冷却する間接気化冷却機能を備え、室内の空気調和された空気を利用することで、換気に伴う温度上昇を抑えるものである。
【背景技術】
【０００２】
従来より、建物の室内等の人が居る空間を冷房する空調装置が提案されている。従来の空調装置は、室内の空気を循環させながら、冷気を給気する構成であり、室内と室外での換気を行う機能は備えられていない。
【０００３】
これに対して、近年は住宅の高気密化等に伴い、自然換気が行われにくい構造となり、更に、窓を閉め切った状態でいる時間も長くなって、換気が十分に行われない状態になっている。
【０００４】
そこで、住宅に関しては、建築基準法によって強制的な換気を行う換気装置の設置が義務付けられることとなった。このような換気装置は、２４時間換気装置等と呼ばれており、建物内の所定の換気量を満たすように、連続的あるいは断続的に常時換気を行っている。
【０００５】
しかし、夏季に換気装置で常時換気を行うと、空調装置で室内の温度を例えば２８℃程度に冷却しても、換気により室内の冷気は排気され、３５℃程度の外気が導入されることになる。このように、外気と室内の温度の温度差が大きいので、夏季に常時換気を行うと、室内の温度が上昇すると共に、空調装置により一定の温度を保とうとすると、空調負荷が増大して消費電力が増加するという問題が生じている。
【０００６】
そこで、外気と室内の空気の間で熱交換を行う熱交換素子を備えた換気装置が提案されている（例えば、特許文献１参照）。
【０００７】
熱交換素子を備えた換気装置では、温度の高い外気と、空気調和されて冷却された室内の空気の間で温度交換を行うことで、外気の温度を下げて室内に供給することが可能となっている。
【０００８】
また、空調装置として、水の気化熱を利用してエアを冷却する間接気化冷却装置を備えた空調装置が提案されている（例えば、特許文献２参照）。
【０００９】
間接気化冷却装置は、隔壁で仕切られた流路間で顕熱（温度）交換を行う構成で、一方の流路で水の気化熱を利用してエアを冷却すると共に、他方の流路との間で冷熱の授受を行い、他方の流路を通るエアを冷却して、室内等に供給するものであり、間接気化冷却装置では、水の気化熱を利用することで、消費電力を抑えることができる。
【００１０】
【特許文献１】特開２００４−２１２０４３号公報
【特許文献２】特開２００４−１９０９０７号公報
【発明の開示】
【発明が解決しようとする課題】
【００１１】
しかし、熱交換素子を備えた換気装置でも、熱交換素子の熱交換効率が７０％程度であるので、例えば３５℃程度の外気と空気調和された２８℃程度の室内の空気との間で熱交換を行うと、外気の温度は３０℃程度までしか下げられない。
【００１２】
これにより、換気により室内の冷気は排気され、室内より温度の高い空気が給気されるので、換気に伴う室内の温度上昇の問題は解決されず、結果として、空調負荷の増大という問題は解決されない。
【００１３】
また、従来の間接気化冷却装置を備えた空調装置は、オフィスや店舗等に設置されており、住宅への設置は考慮されていない。また、間接気化冷却装置では、高温高湿の空気を導入すると冷却能力が低下するので、外気が高温高湿の夏季に使用すると、十分な冷却能力が得られないという問題がある。
【００１４】
本発明は、このような課題を解決するためになされたもので、換気に伴う室内の温度上昇を抑えた換気空調装置、この換気空調装置を備えた空調システム及び建物を提供することを目的とする。
【課題を解決するための手段】
【００１５】
上述した課題を解決するため、請求項１の発明は、室外と連通した外気吸込口から、室内と連通した給気吹出口へのエアの流れを生成する給気ファンと、給気吹出口とは独立して室内と連通した還気吸込口から、外気吸込口とは独立して室外と連通した排気吹出口へのエアの流れを生成する排気ファンと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、外気吸込口から間接気化冷却ユニットのプロダクトエア流路を通り、給気吹出口へ連通した給気流路と、還気吸込口から間接気化冷却ユニットのワーキングエア流路を通り、排気吹出口へ連通した排気流路とを備えたことを特徴とする。
【００１６】
請求項１の発明では、間接気化冷却ユニットにおいて外気をプロダクトエアとし、室内からの還気をワーキングエアとしてプロダクトエアの冷却が行われる。空気調和された室内温度は低いので、ワーキングエアとして冷却された還気を利用することで、間接気化冷却ユニットにおける入力温度が低くなり、冷却能力が向上する。これにより、空気調和された室内の空気を換気によって排気しても、外気の温度を十分に下げて給気することができる。
【００１７】
請求項２の発明は、室外と連通した外気吸込口から、室内と連通した給気吹出口へのエアの流れを生成する給気ファンと、給気吹出口とは独立して室内と連通した還気吸込口から、外気吸込口とは独立して室外と連通した排気吹出口へのエアの流れを生成する排気ファンと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、外気吸込口から間接気化冷却ユニットのプロダクトエア流路を通り、給気吹出口へ連通した給気流路と、還気吸込口から間接気化冷却ユニットのワーキングエア流路を通り、気吹出口へ連通した排気流路とを備え、建物内の所定の換気量が満たされるように、還気吸込口から吸い込まれる室内の空気の量と、給気吹出口から室内に吹き出す空気の量を調整して、連続的または断続的に常時換気を行うことを特徴とする。
【００１８】
請求項２の発明では、間接気化冷却ユニットにおいて外気をプロダクトエアとし、室内からの還気をワーキングエアとしてプロダクトエアの冷却が行われる。空気調和された室内温度は低いので、ワーキングエアとして冷却された還気を利用することで、間接気化冷却ユニットにおける入力温度が低くなり、冷却能力が向上する。これにより、空気調和された室内の空気を常時換気によって排気しても、外気の温度を十分に下げて給気することができる。
【００１９】
請求項３の発明は、室内と連通した還気吸込口から、室外と連通した排気吹出口へのエアの流れを生成する排気ファンと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、還気吸込口から間接気化冷却ユニットのプロダクトエア流路を通り、還気吸込口とは独立して室内と連通した給気吹出口へ連通した給気流路と、還気吸込口から間接気化冷却ユニットの前記ワーキングエア流路を通り、排気吹出口へ連通した排気経路とを備えたことを特徴とする。
【００２０】
請求項４の発明は、室内と連通した還気吸込口から、室外と連通した排気吹出口へのエアの流れを生成する排気ファンと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、間接気化冷却ユニットに設けられ、給排水を行う給排水装置と、還気吸込口から間接気化冷却ユニットのプロダクトエア流路を通り、還気吸込口とは独立して室内と連通した給気吹出口へ連通した給気流路と、還気吸込口から間接気化冷却ユニットのワーキングエア流路を通り、排気吹出口へ連通した排気経路とを備え、建物内の所定の換気量が満たされるように、還気吸込口から吸い込まれる室内の空気の量と、給気吹出口から室内に吹き出す空気の量を調整して、連続的または断続的に常時換気を行うことを特徴とする。
【００２１】
請求項３及び請求項４の発明では、給気ファンを非搭載とすることで、コスト低下が図られる。
【００２２】
請求項１４の発明は、請求項１〜１３の何れかに記載の換気空調装置と、室内の空気の温度制御を行う空気調和装置を備えたことを特徴とする空調システムである。
【００２３】
請求項１５の発明は、請求項１〜１３の何れかに記載の換気空調装置または請求項１４に記載の空調システムを備えたことを特徴とする建物である。
【発明の効果】
【００２４】
本発明の換気空調装置によれば、間接気化冷却ユニットにおいて室内からの還気をワーキングエアとして利用し、外気をプロダクトエアとして冷却することで、夏季は空気調和されて冷却されている空気をワーキングエアとして利用することができるので、間接気化冷却ユニットの冷却能力を向上させることができる。
【００２５】
これにより、換気を行いながら、効率的に冷却された空気を室内に供給でき、換気に伴う室内温度の上昇を抑えることができる。
【００２６】
そして、このような換気空調装置を備えた空調システムでは、換気に伴う室内の温度上昇が抑えられることから、空気負荷を削減することができる。
【００２７】
更に、このような換気空調装置または空調システムを備えた建物では、室外と室内の空気の換気を行いながら、空調負荷を削減して空調が行われるので、快適な住空間を提供できると共に、消費電力を抑えることができる。
【発明を実施するための最良の形態】
【００２８】
以下、図面を参照して本発明の換気空調装置、空調システム及び建物の実施の形態について説明する。
【００２９】
＜第１の実施の形態の換気空調装置１Ａの構成＞
図１は第１の実施の形態の換気空調装置１Ａの一例を示す構成図、図２は第１の実施の形態の換気空調装置１Ａを備えた空調システム９１の一例を示す構成図である。
【００３０】
第１の実施の形態の換気空調装置１Ａは、給気ファン２ａ及び排気ファン２ｂと間接気化冷却ユニット４を備え、図２に示すように建物１０１等に設置されて、屋外と室内１０２の間で換気を行うと共に、室内１０２に供給する空気の温度及び湿度制御を行う。
【００３１】
換気空調装置１Ａは、図２に示すように、外気ＯＡ（Outside Air）を吸い込む吸気グリル１０３とダクト１０４を介して接続して屋外と連通した外気吸込口５と、給気ＳＡ（Supply Air）を吹き出す給気グリル１０５とダクト１０６を介して接続して室内１０２と連通した給気吹出口６を備える。
【００３２】
また、換気空調装置１Ａは、還気ＲＡ（Return Air）を吸い込む還気グリル１０７と接続して室内１０２と連通した還気吸込口７と、排気ＥＡ（Exhaust Air）を吹き出す排気グリル１０８とダクト１０９を介して接続して屋外と連通した排気吹出口８を備える。
【００３３】
給気ファン２ａ及び排気ファン２ｂは例えばシロッコファンで、給気ファン２ａは給気ファンモータ３ａに駆動され、排気ファン２ｂは排気ファンモータ３ｂに駆動される。
【００３４】
給気ファン２ａは、外気吸込口５から給気吹出口６へ連通した給気流路９Ａにおいて、給気吹出口６へ向かうエアの流れを生成する。また、排気ファン２ｂは、還気吸込口７から排気吹出口８へ連通した排気流路１０Ａにおいて、排気吹出口８へ向かうエアの流れを生成する。
【００３５】
間接気化冷却ユニット４は、図１に示すように、間接気化エレメント１１と、給排水装置１２とドレンパン１３等を備える。間接気化エレメント１１は、水の気化熱で冷却されるワーキングエアＷＡが通るワーキングエア流路１１ａと、ワーキングエアＷＡとの間で顕熱（温度）交換が行われるプロダクトエアＰＡが通るプロダクトエア流路１１ｂを備える。
【００３６】
給排水装置１２は、本例では間接気化エレメント１１の上側から水を滴下または散水し、ドレンパン１３で受ける構成で、例えば電磁弁で構成される給水バルブ１２ａを備えて、間接気化エレメント１１に対する給水を行う。
【００３７】
ドレンパン１３は、給排水装置１２で間接気化エレメント１１に供給された水、及び間接気化エレメント１１のプロダクトエア流路１１ｂで発生した結露水等を受ける。なお、給排水装置１２は、例えば電磁弁で構成される排水バルブ１２ｂを備えて、ドレンパン１３の水を排水できるようにしても良い。本例では、ドレンパン１３と排水バルブ１２ｂは結露水処理手段を構成する。
【００３８】
給気流路９Ａは、外気吸込口５から給気ファン２ａ及び間接気化エレメント１１のプロダクトエア流路１１ｂを通り、給気吹出口６へ連通する。排気流路１０Ａは、還気吸込口７から間接気化エレメント１１のワーキングエア流路１１ａ及び排気ファン２ｂを通り、排気吹出口８へ連通する。
【００３９】
給気流路９Ａは、例えば間接気化冷却ユニット４の上流側に給気流量調整ダンパ１４を備える。給気流量調整ダンパ１４は流量制御手段を構成し、開閉によりエアの流量を調整するダンパと、ダンパを駆動するモータを備え、給気流量調整ダンパ１４の開度を調整することで、給気流路９Ａを流れるエアの流量が調整される。これにより、間接気化冷却ユニット４を構成する間接気化エレメント１１のプロダクトエア流路１１ｂを流れるプロダクトエアＰＡの流量が調整される。
【００４０】
排気流路１０Ａは、例えば間接気化冷却ユニット４の上流側に排気流量調整ダンパ１５を備える。排気流量調整ダンパ１５は流量制御手段を構成し、開閉によりエアの流量を調整するダンパと、ダンパを駆動するモータを備え、排気流量調整ダンパ１５の開度を調整することで、排気流路１０Ａを流れるエアの流量が調整される。これにより、間接気化冷却ユニット４を構成する間接気化エレメント１１のワーキングエア流路１１ａを流れるワーキングエアＷＡの流量が調整される。
【００４１】
また、給気流路９Ａは、例えば間接気化冷却ユニット４の上流側に空気清浄装置として空気清浄フィルタ１６を備える。給気流路９Ａに空気清浄フィルタ１６を備えることで、外気ＯＡから粉塵等が除去された給気ＳＡが室内に供給される。また、空気清浄フィルタ１６を間接気化冷却ユニット４の上流側に配置することで、間接気化エレメント１１への粉塵等の侵入を防ぐ。
【００４２】
更に、給気流路９Ａは、間接気化エレメント１１におけるプロダクトエア流路１１ｂの出口近傍に温度センサ１７ａと湿度センサ１７ｂを備えて、間接気化エレメント１１を通過したプロダクトエアＰＡの温度及び湿度が検出される。
【００４３】
上述した換気空調装置１Ａを備えた空調システム９１は、図２に示すように、空気調和装置１１０を備える。空気調和装置１１０は、いわゆるエアコンと称されている装置であり、室内１０２の空気を循環させながら、夏季であれば冷気ＣＡを給気する。
【００４４】
図２に示す空調システム９１では、換気空調装置１Ａにより換気を行いながら、空気調和装置１１０により室内１０２を冷房する。更に、換気空調装置１Ａでは、換気を行う際に、空気調和装置１１０により冷やされた室内１０２の空気を還気ＲＡとして吸気し、この還気ＲＡを利用することで、外気ＯＡの温度を室内温度程度或いは室内温度以下にして、給気ＳＡとして給気する。
【００４５】
＜空調システムを備えた建物の構成例＞
図３は空調システム９１が設置される建物１０１の具体例を示す構成図で、図３（ａ）は建物１０１の概略平面図、図３（ｂ）は建物１０１の概略側断面図である。
【００４６】
建物１０１は、複数の居室１１２とトイレ１１３、洗面所１１４ａ、浴室１１４ｂ、これら各部屋を繋ぐ廊下１１５等から構成され、換気空調装置１Ａは、例えば廊下１１５の天井裏に設置される。また、空気調和装置１１０は、各居室１１２あるいは特定の居室１１２等に設置される。
【００４７】
図２で説明した給気グリル１０５は、例えば各居室１１２あるいは特定の居室１１２等の天井に設置され、ダクト１０６を介して換気空調装置１Ａと接続される。
【００４８】
なお、図１等では、給気吹出口６を１個備えた構成であるが、複数の居室１１２に給気ＳＡを供給するためには、ダクト１０６の途中に分岐チャンバー１０６ａを設置し、１本のダクト１０６を複数本のダクト１０６に分岐できるようにすれば良い。
【００４９】
また、換気空調装置１Ａに複数の給気吹出口６を備えても良いし、複数の給気吹出口６を備えた換気空調装置１Ａと分岐チャンバー１０６ａを組み合わせても良い。
【００５０】
図２で説明した還気グリル１０７は、例えば廊下１１５の天井に設置され、換気空調装置１Ａと直接接続される。なお、還気グリル１０７をトイレ１１３等の他の室内の天井に設置し、ダクト１１７を介して換気空調装置１Ａと接続しても良い。
【００５１】
また、吸気グリル１０３と排気グリル１０８は、建物１０１の例えばベランダ１１８の外壁等に設置され、吸気グリル１０３はダクト１０４を介して換気空調装置１Ａと接続され、排気グリル１０８はダクト１０９を介して換気空調装置１Ａと接続される。
【００５２】
換気空調装置１Ａは、図１等に示すように、間接気化冷却ユニット４に給排水装置１２とドレンパン１３を備える。間接気化冷却ユニット４では、水の気化熱でワーキングエアＷＡを冷却するため、給排水装置１２により水が供給され、消費されない水や結露した水はドレンパン１３に貯水される。そして、ドレンパン１３と、ベランダ１１８等に設置したドレン排水口１１９がホース１１９ａで接続され、ドレンパン１３の水を給排水装置１２等で装置外へ排水できるようになっている。
【００５３】
＜間接気化エレメントの構成＞
図４は間接気化エレメント１１の概要を示す説明図で、図４（ａ）は間接気化エレメント１１の全体構成、図４（ｂ）は間接気化エレメント１１の要部構成、図４（ｃ）は冷却原理を示す。
【００５４】
間接気化エレメント１１は、図４（ｂ）に示すように、仕切り２１ａで仕切られた複数の第１の流路２１ｂを有するドライセル２１と、仕切り２２ａで仕切られた複数の第２の流路２２ｂを有するウェットセル２２と、ドライセル２１とウェットセル２２を仕切る隔壁２３とを備える。
【００５５】
ドライセル２１とウェットセル２２は、第１の流路２１ｂと第２の流路２２ｂが直交する向きで、隔壁２３を挟んで積層される。
【００５６】
隔壁２３は、図４（ｃ）に示すように、ポリエチレンフィルム等で形成された防湿フィルム２３ａと、パルプ等で形成された湿潤層２３ｂを備え、防湿フィルム２３ａがドライセル２１に面し、湿潤層２３ｂがウェットセル２２に面する。
【００５７】
また、隔壁２３は、図４（ｂ）に示すように、一部の第１の流路２１ｂと第２の流路２２ｂを連通させる通気孔２３ｃが形成される。更に、図４（ａ）に示すように、通気孔２３ｃが形成された第１の流路２１ｂの出口には閉塞部２４が形成され、エアが通り抜けないように構成される。
【００５８】
これにより、間接気化エレメント１１において、ワーキングエア流路１１ａは、通気孔２３ｃが形成された第１の流路２１ｂの入口から、第１の流路２１ｂ、通気孔２３ｃ及び第２の流路２２ｂを通り、第２の流路２２ｂの出口へ連通する。また、プロダクトエア流路１１ｂは、通気孔２３ｃが形成されていない第１の流路２１ｂの入口から、第１の流路２１ｂを通りこの第１の流路２１ｂの出口へ連通する。
【００５９】
図４（ｃ）を参照に間接気化エレメント１１による冷却原理の概要を説明する。ここで、ワーキングエアＷＡとプロダクトエアＰＡは直交する向きに流れるが、図４（ｃ）ではワーキングエアＷＡとプロダクトエアＰＡの流れる向きを平行に図示している。
【００６０】
ワーキングエア流路１１ａに面した湿潤層２３ｂは、図１に示す給排水装置１２によって水が供給される。これにより、ワーキングエア流路１１ａを通るワーキングエアＷＡと湿潤層２３ｂの温度差によって水分が気化し、ワーキングエアＷＡが冷却される。
【００６１】
ワーキングエアＷＡが冷却されると、ワーキングエア流路１１ａと隔壁２３で仕切られたプロダクトエア流路１１ｂを通るプロダクトエアＰＡは、隔壁２３を通して冷熱を受けて冷却される。
【００６２】
ここで、隔壁２３を構成する防湿フィルム２３ａは水分を通さないことから、プロダクトエアＰＡはプロダクトエア流路１１ｂを通過しても絶対湿度が変化しない。なお、ワーキングエアＷＡは、ワーキングエア流路１１ａを通過すると高湿度になる。
【００６３】
一例として、プロダクトエアＰＡ及びワーキングエアＷＡの入力温度が３０℃、絶対湿度が１０ｇ／ｋｇ（ＤＡ：ドライエア）、相対湿度が約４０％ＲＨとした場合、プロダクトエアＰＡの出口温度は２０℃と下がる。なお相対湿度は温度が下がるため約７０％ＲＨと上がるが、絶対湿度は１０ｇ／ｋｇ（ＤＡ）であり、変化しない。
【００６４】
また、ワーキングエアＷＡの出口温度は２３℃と下がる。但し、絶対湿度は１６ｇ／ｋｇ（ＤＡ）と上がる。
【００６５】
＜間接気化エレメントの冷却原理＞
間接気化エレメント１１の冷却原理は、プロダクトエアＰＡの温度Ｔｄ、絶対湿度Ｘｄ、風量Ｇｄ、ワーキングエアＷＡの温度Ｔｗ、絶対湿度Ｘｗ、風量Ｇｗ、その他パラメータを用いて以下の様に表せる。
【００６６】
（１）エネルギー保存則より
【００６７】
【数１】
2006145145.tif 000003
【００６８】
（２）質量保存則より
【００６９】
【数２】
2006145145.tif 000004
【００７０】
（３）ワーキングエアＷＡの流量とプロダクトエアＰＡの出口温度の関係
上述した式より、間接気化エレメント１１におけるワーキングエアＷＡの流量とプロダクトエアＰＡの出口温度の関係を求め、図５のグラフに示す。
【００７１】
図５はワーキングエアＷＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ：ドライエア）、入口温度３０℃固定、プロダクトエアＰＡの流量は５０ｍ3／ｈｒ固定とする。
【００７２】
図５より、ワーキングエアＷＡの流量が高い程、プロダクトエアＰＡの出口温度が低下していることが判る。なお、間接気化エレメント１１で冷却されたエアには温度分布があるが、各例の温度データは最低温度で記載している。
【００７３】
（４）プロダクトエアＰＡの流量とプロダクトエアＰＡの出口温度の関係
上述した式より、間接気化エレメント１１におけるプロダクトエアＰＡの流量とプロダクトエアＰＡの出口温度の関係を求め、図６のグラフに示す。
【００７４】
図６はプロダクトエアＰＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、入口温度３０℃固定、ワーキングエアＷＡの流量は５０ｍ3／ｈｒ固定とする。
【００７５】
図６より、プロダクトエアＰＡの流量が低い程、プロダクトエアＰＡの出口温度が低下していることが判る。
【００７６】
（５）ワーキングエアＷＡ及びプロダクトエアＰＡの入口温度とプロダクトエアＰＡの出口温度の関係
上述した式より、間接気化エレメント１１におけるワーキングエアＷＡ及びプロダクトエアＰＡの入口温度とプロダクトエアＰＡの出口温度の関係を求め、図７のグラフに示す。
【００７７】
図７はワーキングエアＷＡ及びプロダクトエアＰＡの入口温度とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００７８】
図７より、ワーキングエアＷＡ及びプロダクトエアＰＡの入口温度が高い程、プロダクトエアＰＡの出口温度が上昇していることが判る。
【００７９】
（６）ワーキングエアＷＡ及びプロダクトエアＰＡの入口温度と水の消費量の関係
上述した式より、間接気化エレメント１１におけるワーキングエアＷＡ及びプロダクトエアＰＡの入口温度と水の消費量の関係を求め、図８のグラフに示す。
【００８０】
図８はワーキングエアＷＡ及びプロダクトエアＰＡの入口温度と水の消費量の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００８１】
図８より、ワーキングエアＷＡ及びプロダクトエアＰＡの入口温度が高い程、冷却に使用する水の消費量が多くなることが判る。
【００８２】
これにより、図７及び図８から、ワーキングエアＷＡ及びプロダクトエアＰＡの入口温度を下げれば、プロダクトエアＰＡの出口温度が下がり、また、水の消費量が減ることが判る。
【００８３】
（７）ワーキングエアＷＡ及びプロダクトエアＰＡの入口湿度とプロダクトエアＰＡの出口温度の関係
上述した式より、間接気化エレメント１１におけるワーキングエアＷＡ及びプロダクトエアＰＡの入口湿度とプロダクトエアＰＡの出口温度の関係を求め、図９のグラフに示す。
【００８４】
図９はワーキングエアＷＡ及びプロダクトエアＰＡの入口湿度とプロダクトエアＰＡの出口温度の関係を示すグラフで、間接気化エレメント１１に入力されるワーキングエアＷＡとプロダクトエアＰＡの条件は、温度３０℃、流量は５０ｍ3／ｈｒ固定とする。
【００８５】
図９より、ワーキングエアＷＡ及びプロダクトエアＰＡの入口湿度が低い程、プロダクトエアＰＡの出口温度が低下していることが判る。
【００８６】
以上のことから、間接気化エレメント１１では、ワーキングエアＷＡの流量、プロダクトエアＰＡの流量、ワーキングエアＷＡの入口温度、プロダクトエアＰＡの入口温度、ワーキングエアＷＡの入口湿度、プロダクトエアＰＡの入口湿度等を制御することで、プロダクトエアＰＡの出口温度を制御できることが判る。
【００８７】
＜第１の実施の形態の換気空調装置１Ａの動作＞
次に、図１，図２及び図３等を参照に第１の実施の形態の換気空調装置１Ａ及び換気空調装置１Ａを備えた空調システム９１の動作について説明する。
【００８８】
換気空調装置１Ａは、給気ファン２ａが駆動されると、給気流路９Ａにおいて給気吹出口６へ向かうエアの流れが生成される。これにより、建物１０１の屋外より外気ＯＡが吸気グリル１０３及びダクト１０４を介して外気吸込口５から吸い込まれ、空気清浄フィルタ１６及び間接気化エレメント１１のプロダクトエア流路１１ｂを通り、給気吹出口６からダクト１０６及び給気グリル１０５を介して給気ＳＡとして居室１１２等の室内１０２に供給される。
【００８９】
また、排気ファン２ｂが駆動されると、排気流路１０Ａにおいて排気吹出口８へ向かうエアの流れが生成される。これにより、居室１１２等の室内１０２からの還気ＲＡが還気グリル１０７を介して還気吸込口７から吸い込まれ、間接気化エレメント１１のワーキングエア流路１１ａを通り、排気吹出口８からダクト１０９及び排気グリル１０８を介して排気ＥＡとして建物１０１の屋外に排出される。
【００９０】
ここで、換気空調装置１Ａにより図３に示す建物１０１の給気グリル１０５から外気が供給され、還気グリル１０７から各居室１１２等の空気が吸気されることで、居室１１２等に供給された空気は、図３に矢印で示すように居室１１２と廊下１１５を仕切るドア１２０のアンダーカット部１２０ａや、図示しないガラリ部等を通して還気グリル１０７が備えられた部屋に集められ、還気グリル１０７から換気空調装置１Ａに吸気される。
【００９１】
従って、換気空調装置１Ａでは、外気ＯＡがプロダクトエアＰＡとなり、各居室１１２等から吸気した還気ＲＡがワーキングエアＷＡとなる。
【００９２】
図４で説明したように、間接気化エレメント１１では、ワーキングエア流路１１ａを通るワーキングエアＷＡが水の気化熱で冷却され、ワーキングエアＷＡが冷却されると、プロダクトエア流路１１ｂを通るプロダクトエアＰＡがワーキングエアＷＡの冷熱を受けて冷却される。
【００９３】
そして、ワーキングエア流路１１ａとプロダクトエア流路１１ｂの間では湿度の移動は起こらないので、間接気化エレメント１１のプロダクトエア流路１１ｂを通った外気ＯＡは、湿度（絶対湿度）は変化せずに温度は下がる。
【００９４】
よって、間接気化エレメント１１のプロダクトエア流路１１ｂを通過した外気ＯＡを、給気吹出口６から給気ＳＡとして吹き出すことで、居室１１２等の室内１０２の温度を下げることができる。
【００９５】
なお、間接気化エレメント１１のワーキングエア流路１１ａを通った還気ＲＡは高湿度のエアとなるので、排気吹出口８から排気ＥＡとして屋外へ排出する。
【００９６】
換気空調装置１Ａでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【００９７】
これにより、給気流量調整ダンパ１４と排気流量調整ダンパ１５の何れかを作動させて、プロダクトエアＰＡの流量かワーキングエアＷＡの流量を調整することで、図５及び図６で説明したように、間接気化エレメント１１におけるプロダクトエアＰＡの出口温度が制御される。よって、給気吹出口６からの給気温度が制御される。
【００９８】
すなわち、排気流量調整ダンパ１５の開度を制御して、ワーキングエアＷＡの流量を増加させると、間接気化エレメント１１におけるプロダクトエアＰＡの出口温度が低下する。よって、給気吹出口６からの給気温度を下げることができる。
【００９９】
また、排気流量調整ダンパ１５の開度を制御して、ワーキングエアＷＡの流量を減少させると、間接気化エレメント１１におけるプロダクトエアＰＡの出口温度が上昇する。よって、給気吹出口６からの給気温度を上げることができる。
【０１００】
更に、給気流量調整ダンパ１４の開度を制御して、プロダクトエアＰＡの流量を増加させると、間接気化エレメント１１におけるプロダクトエアＰＡの出口温度が上昇する。よって、給気吹出口６からの給気温度を上げることができる。
【０１０１】
また、給気流量調整ダンパ１４の開度を制御して、プロダクトエアＰＡの流量を減少させると、間接気化エレメント１１におけるプロダクトエアＰＡの出口温度が低下する。よって、給気吹出口６からの給気温度を下げることができる。
【０１０２】
このように、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０１０３】
また、給気流量調整ダンパ１４と排気流量調整ダンパ１５の双方を作動させて、プロダクトエアＰＡの流量及びワーキングエアＷＡの流量を調整することでも、間接気化エレメント１１におけるプロダクトエアＰＡの出口温度が制御され、給気吹出口６からの給気温度が制御される。
【０１０４】
更に、給気ファンモータ３ａにより給気ファン２ａの回転数を変化させ風量を制御することでも、プロダクトエアＰＡの流量が調整可能で、同様に、排気ファンモータ３ｂにより排気ファン２ｂの回転数を変化させ風量を制御することでも、ワーキングエアＷＡの流量が調整可能である。
【０１０５】
よって、給気ファン２ａと排気ファン２ｂの何れか、あるいは給気ファン２ａと排気ファン２ｂの双方の風量を制御することで、間接気化エレメント１１におけるプロダクトエアＰＡの出口温度が制御され、給気吹出口６からの給気温度が制御される。
【０１０６】
また、給気流量調整ダンパ１４と排気流量調整ダンパ１５の少なくとも一方の開度の制御と、給気ファン２ａと排気ファン２ｂの少なくとも一方の風量の制御を組み合わせても、間接気化エレメント１１におけるプロダクトエアＰＡの出口温度が制御され、給気吹出口６からの給気温度が制御される。
【０１０７】
上述した温度制御は、後述する設定スイッチで手動で行うこともできるし、温度センサ１７ａ等を利用して、温度に合わせて自動調整することも可能である。
【０１０８】
図２に示す空調システム９１では、上述したように換気空調装置１Ａを作動させると共に、空気調和装置１１０を作動させる。空気調和装置１１０は、夏季は室内の冷房を行う。空気調和装置１１０で冷房を行うことで、図３に示す建物１０１においては、各居室１１２等の室内１０２の空気が冷やされる。
【０１０９】
換気空調装置１Ａでは、図７で説明したように、ワーキングエアＷＡの入力温度が低いと、プロダクトエアＰＡの出口温度が下がる。これにより、空気調和装置１１０で冷やされた各居室１１２等の室内１０２の空気を還気ＲＡとして吸気し、この還気ＲＡを間接気化冷却ユニット４においてワーキングエアＷＡとして利用することで、プロダクトエアＰＡの出口温度が室内温度程度、あるいは室内温度以下となる。
【０１１０】
そして、外気ＯＡをプロダクトエアＰＡとして利用することで、室内１０２からの還気ＲＡを屋外に排気しながら、外気ＯＡを冷却して取り入れることができ、換気空調装置１Ａは、建物１０１の換気を行いながら、室内温度と同等あるいは室内温度以下の新鮮な空気を供給できる。
【０１１１】
図１０は室内空気湿度とプロダクトエアＰＡの出口温度の関係を示すグラフで、間接気化エレメント１１に入力されるワーキングエアＷＡとプロダクトエアＰＡの条件は、プロダクトエアＰＡとなる外気ＯＡの温度湿度条件は温度３５℃、相対湿度５５％ＲＨとし、プロダクトエア流量及びワーキングエア流量は１００ｍ3／ｈｒとする。そして、ワーキングエアＷＡとなる室内温度を２８℃として室内湿度を変化させた場合のプロダクトエアＰＡの出口温度の変化を示す。
【０１１２】
図１０より、空気調和装置１１０で空気調和された室内１０２の相対湿度が３０〜７０％ＲＨ程度であると、３５℃程度の外気温度を、１５℃〜１０℃程度下げることができ、２８℃程度の室内空気を排気しても、室内温度の２８℃以下の空気を室内１０２に供給できる。
【０１１３】
近年、建築基準法によって、建物の２４時間換気が義務付けられている。これにより、ファンを利用して強制的に換気が行えるようにした換気装置等を利用して、所定時間で建物内の空気の入れ替えができるようにしている。
【０１１４】
しかし、従来の換気装置では、夏季は空気調和装置１１０で冷やされた室内空気を排気し、温度の高い外気を取り入れて換気を行うことになるので、室内温度が上昇し、空気調和装置１１０における空調負荷が増大する。
【０１１５】
これに対して、本例の換気空調装置１Ａは、間接気化冷却ユニット４において各居室１１２等の室内１０２からの還気ＲＡを利用して、外気ＯＡを室内温度程度、あるいは室内温度以下として室内１０２に供給できる。
【０１１６】
これにより、所定時間で建物１０１の空気を入れ替えられるように、還気ＲＡの流量と給気ＳＡの流量を調整して、連続的または断続的に常時換気を行っても、空気調和装置１１０で空気調和された室内１０２の温度は上昇せず、空気調和装置１１０における空調負荷が削減される。
【０１１７】
ここで、２４時間換気を行う際には、還気吸込口７から吸い込まれる室内１０２の空気の量（排気量）と、給気吹出口６から室内１０２に吹き出す空気の量（給気量）が同等となるように調整して常時換気を行う。
【０１１８】
これにより、建物内が負圧となり、ドアや窓の開閉動作が重くなったり、窓の隙間から流入する風によって風切り音が発生したり、また、正圧になりすぎて湿気が壁内部に入ってしまう等の給気量と排気量とのバランスが崩れることによって生じる問題を防止または抑止できる。
【０１１９】
特に、高気密住宅では、この問題が顕著なものとなるが、給気量と排気量が同等となるように制御することで、この問題を解決することができる。なお、給気吹出口６から室内１０２へ吹き出す空気の量（給気量）と、還気吸込口７から吸い込まれる室内１０２の空気の量（排気量）とは、給気ファンモータ３ａと排気ファンモータ３ｂにより個別に制御が可能となっている。
【０１２０】
＜換気空調装置の制御例＞
図１１は換気空調装置１Ａの制御機能の一例を示すブロック図である。換気空調装置１Ａは、制御手段を構成するＣＰＵ７１に、給気ファン２ａ及び排気ファン２ｂを駆動するファンモータ３と、給気流量調整ダンパ１４や排気流量調整ダンパ１５等を駆動するダンパモータ７３等が接続され、ＣＰＵ７１がこれら駆動源を制御することで、給気ＳＡの温度及び湿度制御等が行われる。
【０１２１】
ファンモータ３は、図１等に示すように、本例では給気ファン２ａを駆動する給気ファンモータ３ａと、排気ファン２ｂを駆動する排気ファンモータ３ｂを備え、給気ファン２ａと排気ファン２ｂの回転数を独立して制御可能な構成である。なお、給気ファンモータ３ａと排気ファンモータ３ｂを単一のモータで構成しても良い。
【０１２２】
また、ＣＰＵ７１に、給排水装置１２の給水バルブ１２ａと排水バルブ１２ｂが接続され、間接気化冷却ユニット４における給排水制御が行われる。更に、ＣＰＵ７１に、間接気化エレメント１１におけるプロダクトエア流路１１ｂの出口近傍に備えた温度センサ１７ａと湿度センサ１７ｂ等が接続され、各種検出情報に基づいて、給気ＳＡの温度及び湿度制御等が行われる。
【０１２３】
また、ＣＰＵ７１に、設定手段を構成し各種操作等を行う設定スイッチ７５と、設定情報等を記憶するメモリ７７等が接続され、各種操作と設定に基づいて、給気ＳＡの温度及び湿度の指定等が行われる。
【０１２４】
＜換気空調装置の除湿制御＞
次に、換気空調装置１Ａによる除湿制御について説明する。図１２は温度と絶対湿度の関係を示す空気線図で、まず、間接気化冷却ユニット４における除湿原理について説明する。
【０１２５】
図１等に示す間接気化冷却ユニット４において、間接気化エレメント１１のプロダクトエア流路１１ｂに例えば温度３５℃、相対湿度５０％ＲＨの空気をプロダクトエアＰＡとして導入し、ワーキングエア流路１１ａに例えば温度２８℃、相対湿度３０％ＲＨの空気をワーキングエアＷＡとして導入したとする。なお、この条件は、図２に示す条件とほぼ同じである。
【０１２６】
そして、プロダクトエア流量を１００ｍ3／ｈｒとし、ワーキングエア流量を０ｍ3／ｈｒから徐々に増やすと、プロダクトエアＰＡの出口温度は、図１２に（１）で示す温度（本例では３５℃）から、（２）で示す所定の露点温度に冷却されると同時に、相対湿度が１００％ＲＨに近づくことになる。
【０１２７】
プロダクトエアＰＡの出口温度が図１２（２）で示す露点温度に到達した後、ワーキングエア流量を更に増加させる等により、プロダクトエアＰＡの出口温度は、相対湿度１００％ＲＨのラインに沿って（３）で示す温度の方向に低下する。これにより、プロダクトエアＰＡの出口温度が露点温度以下となることで、プロダクトエアＰＡの水分が結露して、間接気化エレメント１１を通ったプロダクトエアＰＡが除湿されたことになる。
【０１２８】
図１３は除湿制御の一例を示すフローチャートで、図１，図１１及び図１３等を参照して具体的な制御例を説明する。まず、設定スイッチ７５が操作され、メモリ７７には予め所望の設定湿度値が登録されているものとする。また、ファンモータ３等が駆動され、換気動作を行っているものとする。
【０１２９】
ステップＳＡ１：ＣＰＵ７１は、湿度センサ１７ｂからプロダクトエアＰＡの湿度を読み込む。
【０１３０】
ステップＳＡ２：ＣＰＵ７１は、湿度センサ１７ｂから読み込んだプロダクトエアＰＡの湿度が、所定の湿度に達したか判断する。本例では、プロダクトエアＰＡの湿度が、相対湿度１００％ＲＨ近傍以上となったか判断する。
【０１３１】
ステップＳＡ３：ＣＰＵ７１は、プロダクトエアＰＡの湿度が所定の湿度に達したと判断すると、除湿モードを実行するか判断する。ここで、除湿モードを実行するかどうかは、設定スイッチ７５等の操作で予め設定されている。
【０１３２】
ステップＳＡ４：ＣＰＵ７１は、除湿モードを実行しないと判断すると、プロダクトエアＰＡの温度を上げるため、例えば、図１等に示す間接気化冷却ユニット４のワーキングエアＷＡの流量を減少させる。例えば、ＣＰＵ７１は、ダンパモータ７３を制御して給気流量調整ダンパ１４の開度を小さくすることで、ワーキングエアＷＡの流量を減少させる。
【０１３３】
間接気化冷却ユニット４においてワーキングエアＷＡの流量が減少すると、上述したように、プロダクトエアＰＡの温度が上がる。これにより、プロダクトエアＰＡの出口温度が露点温度以下になることが抑えられ、プロダクトエアＰＡは結露しない。よって、プロダクトエアＰＡの除湿は行われない。
【０１３４】
なお、プロダクトエアＰＡの温度を上げるには、プロダクトエアＰＡの流量を増加させても良い。また、プロダクトエアＰＡの温度制御は、流量調整ダンパの開度制御以外に、ファン風量の制御等でも可能である。
【０１３５】
更に、ファンモータ３を一時的に停止させて、換気動作を停止させることで、プロダクトエアＰＡの温度が下がらないようにしても良い。
【０１３６】
ステップＳＡ５：ＣＰＵ７１は、除湿モードを実行すると判断すると、メモリ７７から設定湿度値を読み込む。
【０１３７】
ステップＳＡ６：ＣＰＵ７１は、温度センサ１７ａからプロダクトエアＰＡの温度を読み込む。
【０１３８】
ステップＳＡ７：ＣＰＵ７１は、温度センサ１７ａから読み込んだプロダクトエアＰＡの温度から、現在の除湿量を検出し、現在の除湿量と、メモリ７７から読み込んだ設定湿度値を比較する。
【０１３９】
プロダクトエアＰＡの温度から除湿量を検出する手順について説明すると、例えば、温度センサ１７ａによる検出温度が、図１２に（３）で示す温度であれば、（３）で示す絶対湿度と、（１）で示す絶対湿度の差から、除湿量が検出できる。本例では、（３）の地点の絶対湿度は１５ｇ／ｋｇ（ＤＡ）程度で、（１）の地点の絶対湿度は１８ｇ／ｋｇ（ＤＡ）程度あるので、温度センサ１７ａによる検出温度が（３）で示す地点であれば、３ｇ／ｋｇ（ＤＡ）程度除湿していることが判る。これにより、現在の絶対湿度を検出することができる。
【０１４０】
なお、温度センサ１７ａによる検出温度が（３）で示す地点であると、相対湿度は１００％ＲＨに到達しているので、湿度センサ１７ｂでは湿度を検出することができない。そこで、温度センサ１７ａでの検出温度から除湿量を検出することで、プロダクトエアＰＡの湿度を所望の湿度に制御できる。
【０１４１】
ステップＳＡ８：ＣＰＵ７１は、ステップＳＡ７で、現在の絶対湿度がメモリ７７から読み込んだ設定湿度値（絶対湿度）より大きいと判断すると、プロダクトエアＰＡの温度を下げて絶対湿度を下げるため、例えば、図１等に示す間接気化冷却ユニット４のワーキングエアＷＡの流量を増加させる。例えば、ＣＰＵ７１は、ダンパモータ７３を制御して給気流量調整ダンパ１４の開度を大きくすることで、ワーキングエアＷＡの流量を増加させる。
【０１４２】
間接気化冷却ユニット４においてワーキングエアＷＡの流量が増加すると、上述したように、プロダクトエアＰＡの温度が下がる。これにより、プロダクトエアＰＡの出口温度が図１２に示す相対湿度１００％ＲＨのラインに沿って低下し、プロダクトエアＰＡにおいて結露する水分量が増加することで、間接気化エレメント１１を通ったプロダクトエアＰＡの絶対湿度が下がる。そして、換気空調装置１ＡにおいてはプロダクトエアＰＡを給気ＳＡとして図３に示す居室１１２等の室内１０２に供給するので、給気ＳＡを除湿することで、給気ＳＡの絶対湿度を設定湿度として室内１０２に供給することができる。
【０１４３】
ステップＳＡ９：ＣＰＵ７１は、ステップＳＡ７で、現在の絶対湿度がメモリ７７から読み込んだ設定湿度値（絶対湿度）より小さいと判断すると、プロダクトエアＰＡの温度を上げて絶対湿度を上げるため、例えば、図１等に示す間接気化冷却ユニット４のワーキングエアＷＡの流量を減少させる。例えば、ＣＰＵ７１は、ダンパモータ７３を制御して給気流量調整ダンパ１４の開度を小さくすることで、ワーキングエアＷＡの流量を減少させる。
【０１４４】
間接気化冷却ユニット４においてワーキングエアＷＡの流量が減少すると、上述したように、プロダクトエアＰＡの温度が上がる。これにより、プロダクトエアＰＡの出口温度が図１２に示す相対湿度１００％ＲＨのラインに沿って上昇し、プロダクトエアＰＡにおいて結露する水分量が減少することで、間接気化エレメント１１を通ったプロダクトエアＰＡの絶対湿度が上がる。これにより、給気ＳＡの絶対湿度を設定湿度として室内１０２に供給することができる。
【０１４５】
なお、プロダクトエアＰＡの温度制御は、プロダクトエアＰＡの流量を増減させても良い。更に、プロダクトエアＰＡの温度制御は、流量調整ダンパの開度制御以外に、ファン風量の制御等でも可能である。
【０１４６】
ここで、プロダクトエアＰＡ中の水分が結露すると、図１等に示す間接気化エレメント１１のプロダクトエア流路１１ｂからドレンパン１３に回収される。例えば、ドレンパン１３に図示しない水位センサ等の水量検出手段を備え、図１１に示すＣＰＵ７１は、ドレンパン１３の水位が所定値となると、排水バルブ１２ｂを開けることで、ドレンパン１３の水を図３に示すホース１１９ａを介してドレン排水口１１９から屋外に排出する。これにより、ドレンパン１３のオーバーフローを防ぐことができる。
【０１４７】
＜第１の実施の形態の換気空調装置の変形例＞
図１４は第１の実施の形態の換気空調装置１Ａの変形例を示す構成図である。換気空調装置１Ａとしては、例えば、図１４（ａ）に示すように、還気吸込口７を給気流路９Ａと連通させても良い。
【０１４８】
還気吸込口７を給気流路９Ａと連通させると、還気ＲＡの一部が間接気化冷却ユニット４においてプロダクトエアＰＡとして利用される。図２等で説明したように、夏季においては空気調和装置１１０で空気調和された室内１０２の空気は冷やされているので、還気ＲＡの一部をプロダクトエアＰＡとすることで、間接気化エレメント１１におけるプロダクトエアＰＡの入口温度を下げることができる。
【０１４９】
図７で説明したように、プロダクトエアＰＡの入力温度が低いと、プロダクトエアＰＡの出口温度が下がる。これにより、空気調和装置１１０で冷やされた室内１０２の空気を還気ＲＡとして吸気し、この還気ＲＡの一部をプロダクトエアＰＡとして利用することで、冷却能力を向上させることができる。
【０１５０】
なお、還気吸込口７と給気流路９Ａは、間接気化エレメント１１の手前で連通させても良いし、還気吸込口７からの循環流路を外気吸込口５と連通させても良い。
【０１５１】
また、換気空調装置１Ａとしては、図１４（ｂ）に示すように、還気吸込口７を間接気化エレメント１１をバイパスして排気流路１０Ａと連通させても良い。還気吸込口７を排気流路１０Ａと連通させると、還気ＲＡの一部が間接気化エレメント１１のワーキングエア流路１１ａをバイパスして排出される。これにより、ワーキングエアＷＡの流量を調整して、給気温度や湿度等の制御が可能となる。
【０１５２】
＜第２の実施の形態の換気空調装置１Ｃの構成＞
図１５は第２の実施の形態の換気空調装置１Ｃの一例を示す構成図である。第２の実施の形態の換気空調装置１Ｃは、間接気化冷却ユニット４をバイパスする給気流路を備えるものである。なお、第２の実施の形態の換気空調装置１Ｃにおいて、第１の実施の形態の換気空調装置１Ａと同じ構成要素については、同じ番号を付して説明する。
【０１５３】
換気空調装置１Ｃは、屋外と連通した外気吸込口５から給気ファン２ａ及び間接気化エレメント１１のプロダクトエア流路１１ｂを通り、室内と連通した給気吹出口６へ連通する給気流路９Ｃを備える。排気流路１０Ａは、第１の実施の形態の換気空調装置１Ａと同じ構成で、還気吸込口７は室内と連通している。
【０１５４】
また、換気空調装置１Ｃは、間接気化冷却ユニット４より上流側で給気流路９Ｃから分岐し、間接気化冷却ユニット４をバイパスして給気吹出口６へ連通したバイパス流路１０Ｄを備える。
【０１５５】
バイパス流路１０Ｄは、給気流量調整ダンパ１８を備える。給気流量調整ダンパ１８は流量制御手段を構成し、開閉によりエアの流量を調整するダンパと、ダンパを駆動するモータを備え、給気流量調整ダンパ１８の開度を調整することで、バイパス流路１０Ｄを流れるエアの流量が調整される。これにより、間接気化冷却ユニット４をバイパスして給気吹出口６へ供給されるエアの流量が調整される。
【０１５６】
なお、給気流路９Ｃは、例えばバイパス流路１０Ｄとの分岐位置より上流側に空気清浄フィルタ１６を備える。
【０１５７】
＜第２の実施の形態の換気空調装置１Ｃの動作＞
次に、図１５等を参照に第２の実施の形態の換気空調装置１Ｃの動作について説明する。換気空調装置１Ｃは、給気ファン２ａが駆動されると、給気流路９Ｃにおいて給気吹出口６へ向かうエアの流れが生成される。これにより、外気ＯＡが外気吸込口５から吸い込まれ、間接気化エレメント１１のプロダクトエア流路１１ｂを通り、給気吹出口６から給気ＳＡとして室内に供給される。
【０１５８】
また、排気ファン２ｂが駆動されると、排気流路１０Ａにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【０１５９】
従って、換気空調装置１Ｃでは、外気ＯＡがプロダクトエアＰＡとなり、還気ＲＡがワーキングエアＷＡとなる。
【０１６０】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１６１】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０１６２】
換気空調装置１Ｃでは、給気流量調整ダンパ１８の開度を調整することで、バイパス流路１０Ｄを流れるエアの流量が調整される。
【０１６３】
これにより、間接気化冷却ユニット４をバイパスして給気吹出口６へ供給されるエアの流量が調整される。
【０１６４】
よって、給気流量調整ダンパ１８を作動させて、バイパス流路１０Ｄを流れるエアの流量を調整することで、間接気化冷却ユニット４を通り冷却されたエアと、間接気化冷却ユニット４をバイパスして冷却されていないエアの混合比率が制御され、給気吹出口６からの給気温度が制御される。
【０１６５】
そして、還気ＲＡの流量と、給気ＳＡの流量を調整することで、所定時間で部屋の空気を入れ替えるような換気動作が可能である。更に、温度センサ１７ａによる検出温度と湿度センサ１７ｂによる検出湿度から、除湿制御が可能である。
【０１６６】
＜第３の実施の形態の換気空調装置１Ｄの構成＞
図１６は第３の実施の形態の換気空調装置１Ｄの一例を示す構成図である。第３の実施の形態の換気空調装置１Ｄは、給気ファン２ａと排気ファン２ｂと間接気化冷却ユニット４に加え、熱交換ユニット３１を備える。なお、第３の実施の形態の換気空調装置１Ｄにおいて、第１の実施の形態の換気空調装置１Ａと同じ構成要素については、同じ番号を付して説明する。
【０１６７】
熱交換ユニット３１は、熱交換エレメント３２と図示しないフィルタ等を備える。熱交換エレメント３２は、第１の流路３２ａが形成された熱交換素子材と第２の流路３２ｂが形成された熱交換素子材を、第１の流路３２ａと第２の流路３２ｂが直交する向きで積層した直交流式熱交換器である。第１の流路３２ａと第２の流路３２ｂは図示しない隔壁で仕切られ、第１の流路３２ａと第２の流路３２ｂに供給されたエアの間で顕熱交換が行われる。なお、熱交換エレメント３２としては、顕熱交換に加えて潜熱（湿度）交換を行ういわゆる全熱交換エレメントであっても良い。
【０１６８】
給気流路９Ｄは、外気吸込口５から給気ファン２ａ、熱交換ユニット３１を構成する熱交換エレメント３２の第１の流路３２ａ及び間接気化冷却ユニット４を構成する間接気化エレメント１１のプロダクトエア流路１１ｂを通り、給気吹出口６へ連通する。
【０１６９】
第１の排気流路１０Ｅは、室内と連通した還気吸込口７から間接気化エレメント１１のワーキングエア流路１１ａ及び排気ファン２ｂを通り、排気吹出口８へ連通する。また、第２の排気流路１０Ｆは、還気吸込口７から熱交換エレメント３２の第２の流路３２ｂ及び排気ファン２ｂを通り、排気吹出口８へ連通する。
【０１７０】
給気流路９Ｄは、例えば熱交換ユニット３１の上流側に給気流量調整ダンパ１４を備える。給気流量調整ダンパ１４の開度を調整することで、給気流路９Ｄを流れるエアの流量が調整される。これにより、間接気化エレメント１１のプロダクトエア流路１１ｂを流れるプロダクトエアＰＡの流量が調整される。
【０１７１】
第１の排気流路１０Ｅは、例えば間接気化冷却ユニット４の上流側に排気流量調整ダンパ１５を備える。排気流量調整ダンパ１５の開度を調整することで、第１の排気流路１０Ｅを流れるエアの流量が調整される。これにより、間接気化エレメント１１のワーキングエア流路１１ａを流れるワーキングエアＷＡの流量が調整される。
【０１７２】
また、給気流路９Ｄは、例えば熱交換ユニット３１の上流側に空気清浄フィルタ１６を備える。空気清浄フィルタ１６を熱交換ユニット３１の上流側に配置することで、熱交換エレメント３２及び間接気化エレメント１１への粉塵等の侵入を防ぐ。
【０１７３】
更に、給気流路９Ｄは、給気吹出口６に温度センサ１７ａと湿度センサ１７ｂを備えることで、プロダクトエアＰＡの出口温度と出口湿度が検出される。
【０１７４】
＜第３の実施の形態の換気空調装置１Ｄの動作＞
次に、図１５等を参照に第３の実施の形態の換気空調装置１Ｄの動作について説明する。換気空調装置１Ｄは、給気ファン２ａが駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１７５】
また、排気ファン２ｂが駆動されると、第１の排気流路１０Ｅおよび第２の排気流路１０Ｆにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂを通り、排気吹出口８から排気ＥＡとして屋外に排出される。
【０１７６】
従って、換気空調装置１Ｄでは、外気ＯＡがプロダクトエアＰＡとなり、還気ＲＡがワーキングエアＷＡとなる。
【０１７７】
熱交換エレメント３２では、第１の流路３２ａを通る外気ＯＡと、第２の流路３２ｂを通る還気ＲＡの間で熱交換が行われる。図２等で説明したように、夏季においては空気調和装置１１０で空気調和された室内１０２の空気は冷やされているので、還気ＲＡの温度は外気ＯＡの温度よりも低い。
【０１７８】
よって、熱交換エレメント３２の第１の流路３２ａを通った外気ＯＡは温度が下がり、第２の流路３２ｂを通った還気ＲＡは温度が上がる。
【０１７９】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１８０】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０１８１】
また、間接気化エレメント１１のプロダクトエア流路１１ｂを通る外気ＯＡは、前段の熱交換ユニット３１で温度が下げられている。これにより、図７で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１８２】
なお、間接気化エレメント１１のワーキングエア流路１１ａを通った還気ＲＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１８３】
換気空調装置１Ｄでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１８４】
これにより、熱交換ユニット３１を備えた換気空調装置１Ｄでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０１８５】
そして、還気ＲＡの流量と、給気ＳＡの流量を調整することで、所定時間で部屋の空気を入れ替えるような換気動作が可能である。更に、温度センサ１７ａによる検出温度と湿度センサ１７ｂによる検出湿度から、除湿制御が可能である。
【０１８６】
＜第４の実施の形態の換気空調装置１Ｆの構成＞
図１７は第４の実施の形態の換気空調装置１Ｆの一例を示す構成図である。第６の実施の形態の換気空調装置１Ｆは、熱交換ユニット３１を備えた換気空調装置１Ｆにおいて、間接気化冷却ユニット４をバイパスする給気流路を備えるものである。なお、第４の実施の形態の換気空調装置１Ｆにおいて、第３の実施の形態の換気空調装置１Ｄと同じ構成要素については、同じ番号を付して説明する。
【０１８７】
換気空調装置１Ｆは、外気吸込口５から給気ファン２ａ、熱交換エレメント３２の第１の流路３２ａ及び間接気化エレメント１１のプロダクトエア流路１１ｂを通り、給気吹出口６へ連通する給気流路９Ｆを備える。第１の排気流路１０Ｅ及び第２の排気流路１０Ｆは、第４の実施の形態の換気空調装置１Ｄと同じ構成で、還気吸込口７が室内と連通する。
【０１８８】
また、換気空調装置１Ｆは、間接気化冷却ユニット４より上流側で給気流路９Ｆから分岐し、間接気化冷却ユニット４をバイパスして給気吹出口６へ連通したバイパス流路１０Ｉを備える。
【０１８９】
バイパス流路１０Ｉは、給気流量調整ダンパ１８を備える。給気流量調整ダンパ１８の開度を調整することで、バイパス流路１０Ｉを流れるエアの流量が調整される。これにより、間接気化冷却ユニット４をバイパスして給気吹出口６へ供給されるエアの流量が調整される。
【０１９０】
なお、給気流路９Ｆは、例えば熱交換ユニット３１より上流側に空気清浄フィルタ１６を備える。
【０１９１】
＜第４の実施の形態の換気空調装置１Ｆの動作＞
次に、図１７等を参照に第４の実施の形態の換気空調装置１Ｆの動作について説明する。換気空調装置１Ｆは、給気ファン２ａが駆動されると、給気流路９Ｆにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気ＳＡとして室内に供給される。
【０１９２】
また、排気ファン２ｂが駆動されると、第１の排気流路１０Ｅおよび第２の排気流路１０Ｆにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂを通り、排気吹出口８から排気ＥＡとして屋外に排出される。
【０１９３】
従って、換気空調装置１Ｆでは、外気ＯＡがプロダクトエアＰＡとなり、還気ＲＡがワーキングエアＷＡとなる。
【０１９４】
熱交換エレメント３２では、第１の流路３２ａを通る外気ＯＡと、第２の流路３２ｂを通る還気ＲＡの間で熱交換が行われる。図２等で説明したように、夏季においては空気調和装置１１０で空気調和された室内１０２の空気は冷やされているので、還気ＲＡの温度は外気ＯＡの温度よりも低い。
【０１９５】
よって、熱交換エレメント３２の第１の流路３２ａを通った外気ＯＡは温度が下がり、第２の流路３２ｂを通った還気ＲＡは温度が上がる。
【０１９６】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１９７】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０１９８】
換気空調装置１Ｆでは、給気流量調整ダンパ１８の開度を調整することで、バイパス流路１０Ｉを流れるエアの流量が調整される。
【０１９９】
これにより、間接気化冷却ユニット４をバイパスして給気吹出口６へ供給されるエアの流量が調整される。
【０２００】
よって、給気流量調整ダンパ１８を作動させて、バイパス流路１０Ｉを流れるエアの流量を調整することで、間接気化冷却ユニット４を通り冷却されたエアと、間接気化冷却ユニット４をバイパスして間接気化冷却ユニット４では冷却されていないエアの混合比率が制御され、給気吹出口６からの給気温度が制御される。
【０２０１】
そして、還気ＲＡの流量と、給気ＳＡの流量を調整することで、所定時間で部屋の空気を入れ替えるような換気動作が可能である。更に、温度センサ１７ａによる検出温度と湿度センサ１７ｂによる検出湿度から、除湿制御が可能である。
【０２０２】
＜第５の実施の形態の換気空調装置１Ｇの構成＞
図１８は第５の実施の形態の換気空調装置１Ｇの一例を示す構成図である。第５の実施の形態の換気空調装置１Ｇは、給気ファン２ａと排気ファン２ｂと間接気化冷却ユニット４に加え、除湿ユニット３３を備える。なお、第５の実施の形態の換気空調装置１Ｇにおいて、第１の実施の形態の換気空調装置１Ａと同じ構成要素については、同じ番号を付して説明する。
【０２０３】
除湿ユニット３３は、隔壁３４で仕切られた除湿流路３５ａ及び再生流路３５ｂと、除湿流路３５ａと再生流路３５ｂに跨って回転駆動される除湿ロータ３６と、再生流路３５ｂを通るエアを加熱するヒータ３７と、除湿ロータ３６を回転駆動する図示しない回転駆動装置を備える。
【０２０４】
除湿ロータ３６は、シリカゲル等の吸着材を有するハニカム構造の部材が、軸方向に連通した流路が形成されるように円板状に構成される。除湿ロータ３６は除湿流路３５ａと再生流路３５ｂに跨って配置され、除湿流路３５ａを通るエア及び再生流路３５ｂを通るエアはそれぞれ除湿ロータ３６を通る。
【０２０５】
なお、除湿ロータ３６において除湿流路３５ａと再生流路３５ｂは隔壁３４で仕切られ、除湿流路３５ａを通るエアと再生流路３５ｂを通るエアが混合されることはない。
【０２０６】
除湿流路３５ａを通るエアは水分が除湿ロータ３６に吸着され、除湿される。除湿ロータ３６は、回転駆動されることで、水分を吸着した部分が再生流路３５ｂ側に移動する。再生流路３５ｂを通るエアはヒータ３７で加熱されることで、再生流路３５ｂを通るエアで除湿ロータ３６が加熱されて水分が蒸発し、再度水分を吸着できる状態に再生する。
【０２０７】
そして、除湿ロータ３６は、再生された部分が除湿流路３５ａ側に移動する。これにより、除湿ユニット３３は、除湿ロータ３６を回転駆動することで、水分の吸着と再生を繰り返しながら、除湿流路３５ａを通るエアが除湿される。
【０２０８】
給気流路９Ｇは、外気吸込口５から給気ファン２ａ、除湿ユニット３３の除湿流路３５ａ及び間接気化エレメント１１のプロダクトエア流路１１ｂを通り、給気吹出口６へ連通する。
【０２０９】
第１の排気流路１０Ｊは、室内と連通した還気吸込口７から間接気化エレメント１１のワーキングエア流路１１ａ及び排気ファン２ｂを通り、排気吹出口８へ連通する。また、第２の排気流路１０Ｋは、還気吸込口７から除湿ユニット３３の再生流路３５ｂ及び排気ファン２ｂを通り、排気吹出口８へ連通する。
【０２１０】
給気流路９Ｇは、例えば除湿ユニット３３の上流側に給気流量調整ダンパ１４を備える。給気流量調整ダンパ１４の開度を調整することで、給気流路９Ｇを流れるエアの流量が調整される。これにより、間接気化エレメント１１のプロダクトエア流路１１ｂを流れるプロダクトエアＰＡの流量が調整される。
【０２１１】
第１の排気流路１０Ｊは、例えば間接気化冷却ユニット４の上流側に排気流量調整ダンパ１５を備える。排気流量調整ダンパ１５の開度を調整することで、第１の排気流路１０Ｊを流れるエアの流量が調整される。これにより、間接気化エレメント１１のワーキングエア流路１１ａを流れるワーキングエアＷＡの流量が調整される。
【０２１２】
また、給気流路９Ｇは、例えば除湿ユニット３３の上流側に空気清浄フィルタ１６を備える。空気清浄フィルタ１６を除湿ユニット３３の上流側に配置することで、除湿ロータ３６及び間接気化エレメント１１への粉塵等の侵入を防ぐ。
【０２１３】
更に、給気流路９Ｇは、給気吹出口６に温度センサ１７ａと湿度センサ１７ｂを備えることで、プロダクトエアＰＡの出口温度と出口湿度が検出される。
【０２１４】
＜第５の実施の形態の換気空調装置１Ｇの動作＞
次に、図１８等を参照に第５の実施の形態の換気空調装置１Ｇの動作について説明する。換気空調装置１Ｇは、給気ファン２ａが駆動されると、給気流路９Ｇにおいて給気吹出口６へ向かうエアの流れが生成される。これにより、外気ＯＡが外気吸込口５から吸い込まれ、空気清浄フィルタ１６、除湿ユニット３３の除湿流路３５ａ及び間接気化エレメント１１のプロダクトエア流路１１ｂを通り、給気吹出口６から給気ＳＡとして室内に供給される。
【０２１５】
また、排気ファン２ｂが駆動されると、第１の排気流路１０Ｊおよび第２の排気流路１０Ｋにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、除湿ユニット３３の再生流路３５ｂを通り、排気吹出口８から排気ＥＡとして屋外に排出される。
【０２１６】
従って、換気空調装置１Ｇでは、外気ＯＡがプロダクトエアＰＡとなり、還気ＲＡがワーキングエアＷＡとなる。
【０２１７】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２１８】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０２１９】
ここで、間接気化エレメント１１のプロダクトエア流路１１ｂを通る外気ＯＡは、前段の除湿ユニット３３で湿度が下げられている。これにより、図９で説明したように、プロダクトエアＰＡの入力湿度が低いと、プロダクトエアＰＡの出口温度が下がるので、間接気化冷却ユニット４の前段に除湿ユニット３３を配置して、プロダクトエアＰＡの入力湿度を下げることで、効率的にプロダクトエアＰＡの出口温度を下げて、給気温度を制御することができる。
【０２２０】
なお、間接気化エレメント１１のワーキングエア流路１１ａを通った還気ＲＡ及び除湿ユニット３３の再生流路３５ｂを通った還気ＲＡは高湿度のエアとなるので、排気吹出口８から排気ＥＡとして排出する。
【０２２１】
換気空調装置１Ｇでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２２２】
これにより、除湿ユニット３３を備えた換気空調装置１Ｇでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０２２３】
そして、還気ＲＡの流量と、給気ＳＡの流量を調整することで、所定時間で部屋の空気を入れ替えるような換気動作が可能である。更に、温度センサ１７ａによる検出温度と湿度センサ１７ｂによる検出湿度から、除湿制御が可能である。
【０２２４】
＜第６の実施の形態の換気空調装置１Ｉの構成＞
図１９は第６の実施の形態の換気空調装置１Ｉの一例を示す構成図である。第６の実施の形態の換気空調装置１Ｉは、除湿ユニット３３を備えた換気空調装置１Ｉにおいて、間接気化冷却ユニット４をバイパスする給気流路を備えるものである。なお、第６の実施の形態の換気空調装置１Ｉにおいて、第５の実施の形態の換気空調装置１Ｇと同じ構成要素については、同じ番号を付して説明する。
【０２２５】
換気空調装置１Ｉは、外気吸込口５から給気ファン２ａ、除湿ユニット３３の除湿流路３５ａ及び間接気化エレメント１１のプロダクトエア流路１１ｂを通り、給気吹出口６へ連通する給気流路９Ｉを備える。第１の排気流路１０Ｊ及び第２の排気流路１０Ｋは、第７の実施の形態の換気空調装置１Ｇと同じ構成で、還気吸込口７が室内と連通する。
【０２２６】
また、換気空調装置１Ｉは、間接気化冷却ユニット４より上流側で給気流路９Ｉから分岐し、間接気化冷却ユニット４をバイパスして給気吹出口６へ連通したバイパス流路１０Ｎを備える。
【０２２７】
バイパス流路１０Ｎは、給気流量調整ダンパ１８を備える。給気流量調整ダンパ１８の開度を調整することで、バイパス流路１０Ｎを流れるエアの流量が調整される。これにより、間接気化冷却ユニット４をバイパスして給気吹出口６へ供給されるエアの流量が調整される。
【０２２８】
なお、給気流路９Ｉは、例えば除湿ユニット３３より上流側に空気清浄フィルタ１６を備える。
【０２２９】
＜第６の実施の形態の換気空調装置１Ｉの動作＞
次に、図１９等を参照に第６の実施の形態の換気空調装置１Ｉの動作について説明する。換気空調装置１Ｉは、給気ファン２ａが駆動されると、給気流路９Ｉにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２３０】
また、排気ファン２ｂが駆動されると、第１の排気流路１０Ｊおよび第２の排気流路１０Ｋにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、除湿ユニット３３の再生流路３５ａを通り、排気吹出口８から排気ＥＡとして屋外に排出される。
【０２３１】
従って、換気空調装置１Ｉでは、外気ＯＡがプロダクトエアＰＡとなり、還気ＲＡがワーキングエアＷＡとなる。
【０２３２】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２３３】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０２３４】
換気空調装置１Ｉでは、給気流量調整ダンパ１８の開度を調整することで、バイパス流路１０Ｎを流れるエアの流量が調整される。
【０２３５】
これにより、間接気化冷却ユニット４をバイパスして給気吹出口６へ供給されるエアの流量が調整される。
【０２３６】
よって、給気流量調整ダンパ１８を作動させて、バイパス流路１０Ｎを流れるエアの流量を調整することで、間接気化冷却ユニット４を通り冷却されたエアと、間接気化冷却ユニット４をバイパスして冷却されていないエアの混合比率が制御され、給気吹出口６からの給気温度が制御される。
【０２３７】
なお、間接気化冷却ユニット４をバイパスしたエア（外気ＯＡ）は、除湿ユニット３３で除湿されているので、給気ＳＡの湿度が上がることはない。
【０２３８】
そして、還気ＲＡの流量と、給気ＳＡの流量を調整することで、所定時間で部屋の空気を入れ替えるような換気動作が可能である。更に、温度センサ１７ａによる検出温度と湿度センサ１７ｂによる検出湿度から、除湿制御が可能である。
【０２３９】
＜第７の実施の形態の換気空調装置１Ｊの構成＞
図２０は第７の実施の形態の換気空調装置１Ｊの一例を示す構成図である。第７の実施の形態の換気空調装置１Ｊは、給気ファン２ａと排気ファン２ｂと間接気化冷却ユニット４に加え、熱交換ユニット３１と除湿ユニット３３を備える。なお、第７の実施の形態の換気空調装置１Ｊにおいて、第１の実施の形態の換気空調装置１Ａ等と同じ構成要素については、同じ番号を付して説明する。
【０２４０】
給気流路９Ｊは、外気吸込口５から給気ファン２ａ、除湿ユニット３３の除湿流路３５ａ、熱交換エレメント３２の第１の流路３２ａ及び間接気化エレメント１１のプロダクトエア流路１１ｂを通り、給気吹出口６へ連通する。
【０２４１】
なお、熱交換ユニット３１は除湿ユニット３２の上流側にあっても良く、給気流路９に設けられた除湿ユニット３３及び熱交換ユニット３１の順番を規定するものでは無い。
【０２４２】
第１の排気流路１０Ｐは、室内と連通した還気吸込口７から間接気化エレメント１１のワーキングエア流路１１ａ及び排気ファン２ｂを通り、排気吹出口８へ連通する。また、第２の排気流路１０Ｑは、還気吸込口７から熱交換エレメント３２の第２の流路３２ｂ、除湿ユニット３３の再生流路３５ｂ及び排気ファン２ｂを通り、排気吹出口８へ連通する。
【０２４３】
給気流路９Ｊは、例えば除湿ユニット３３の上流側に給気流量調整ダンパ１４を備える。給気流量調整ダンパ１４の開度を調整することで、給気流路９Ｊを流れるエアの流量が調整される。これにより、間接気化エレメント１１のプロダクトエア流路１１ｂを流れるプロダクトエアＰＡの流量が調整される。
【０２４４】
第１の排気流路１０Ｐは、例えば間接気化冷却ユニット４の上流側に排気流量調整ダンパ１５を備える。排気流量調整ダンパ１５の開度を調整することで、第１の排気流路１０Ｐを流れるエアの流量が調整される。これにより、間接気化エレメント１１のワーキングエア流路１１ａを流れるワーキングエアＷＡの流量が調整される。
【０２４５】
また、給気流路９Ｊは、例えば除湿ユニット３３の上流側に空気清浄フィルタ１６を備える。空気清浄フィルタ１６を除湿ユニット３３の上流側に配置することで、除湿ロータ３６、熱交換エレメント３２及び間接気化エレメント１１への粉塵等の侵入を防ぐ。
【０２４６】
更に、給気流路９Ｊは、給気吹出口６に温度センサ１７ａと湿度センサ１７ｂを備えることで、プロダクトエアＰＡの出口温度と出口湿度が検出される。
【０２４７】
＜第７の実施の形態の換気空調装置１Ｊの動作＞
次に、図２０等を参照に第７の実施の形態の換気空調装置１Ｊの動作について説明する。換気空調装置１Ｊは、給気ファン２ａが駆動されると、給気流路９Ｊにおいて給気吹出口６へ向かうエアの流れが生成される。これにより、外気ＯＡが外気吸込口５から吸い込まれ、空気清浄フィルタ１６、除湿ユニット３３の除湿流路３５ａ、熱交換エレメント３２の第１の流路３２ａ及び間接気化エレメント１１のプロダクトエア流路１１ｂを通り、給気吹出口６から給気ＳＡとして室内に供給される。
【０２４８】
また、排気ファン２ｂが駆動されると、第１の排気流路１０Ｐおよび第２の排気流路１０Ｑにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂ及び除湿ユニット３３の再生流路３５ｂを通り、排気吹出口８から排気ＥＡとして屋外に排出される。
【０２４９】
従って、換気空調装置１Ｊでは、外気ＯＡがプロダクトエアＰＡとなり、還気ＲＡがワーキングエアＷＡとなる。
【０２５０】
除湿ユニット３３では、除湿流路３５ａを通る外気ＯＡが除湿される。但し、除湿ロータ３６が再生流路３５ｂ側ではヒータ３７により加熱された再生空気で加熱されるため、除湿流路３５ａを通った外気ＯＡの温度は上昇する。
【０２５１】
熱交換エレメント３２では、第１の流路３２ａを通る外気ＯＡと、第２の流路３２ｂを通る還気ＲＡの間で熱交換が行われる。図２等で説明したように、夏季においては空気調和装置１１０で空気調和された室内１０２の空気は冷やされているので、還気ＲＡの温度は外気ＯＡの温度よりも低い。
【０２５２】
よって、熱交換エレメント３２の第１の流路３２ａを通った外気ＯＡは温度が下がり、第２の流路３２ｂを通った還気ＲＡは温度が上がる。
【０２５３】
これにより、除湿ユニット３３の除湿流路３５ａを通ることで除湿され且つ加熱された外気ＯＡは、熱交換エレメント３２の第１の流路３２ａを通ることで、湿度は変化せず温度が下がる。
【０２５４】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２５５】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０２５６】
ここで、間接気化エレメント１１のプロダクトエア流路１１ｂを通る外気ＯＡは、前段の除湿ユニット３３で湿度が下げられている。更に、熱交換ユニット３１で温度が下げられている。これにより、図７及び図９で説明したように、プロダクトエアＰＡの入力湿度及び入力温度が低いと、プロダクトエアＰＡの出口温度が下がるので、間接気化冷却ユニット４の前段に除湿ユニット３３及び熱交換ユニット３１を配置して、プロダクトエアＰＡの入力湿度及び入力温度を下げることで、効率的にプロダクトエアＰＡの出口温度を下げて、給気温度を制御することができる。
【０２５７】
なお、間接気化エレメント１１のワーキングエア流路１１ａを通った還気ＲＡ及び熱交換エレメント３２の第２の流路３２ｂと除湿ユニット３３の再生流路３５ｂを通った還気ＲＡは高湿度のエアとなるので、排気吹出口８から排気ＥＡとして排出する。
【０２５８】
換気空調装置１Ｊでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２５９】
これにより、除湿ユニット３３と熱交換ユニット３１を備えた換気空調装置１Ｊでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０２６０】
そして、還気ＲＡの流量と、給気ＳＡの流量を調整することで、所定時間で部屋の空気を入れ替えるような換気動作が可能である。更に、温度センサ１７ａによる検出温度と湿度センサ１７ｂによる検出湿度から、除湿制御が可能である。
【０２６１】
＜第８の実施の形態の換気空調装置１Ｌの構成＞
図２１は第８の実施の形態の換気空調装置１Ｌの一例を示す構成図である。第８の実施の形態の換気空調装置１Ｌは、除湿ユニット３３及び熱交換ユニット３１を備えた換気空調装置１Ｌにおいて、間接気化冷却ユニット４をバイパスする給気流路を備えるものである。なお、第８の実施の形態の換気空調装置１Ｌにおいて、第７の実施の形態の換気空調装置１Ｊと同じ構成要素については、同じ番号を付して説明する。
【０２６２】
換気空調装置１Ｌは、外気吸込口５から給気ファン２ａ、除湿ユニット３３の除湿流路３５ａ、熱交換エレメント３２の第１の流路３２ａ及び間接気化エレメント１１のプロダクトエア流路１１ｂを通り、給気吹出口６へ連通する給気流路９Ｌを備える。第１の排気流路１０Ｐ及び第２の排気流路１０Ｑは、第１０の実施の形態の換気空調装置１Ｊと同じ構成で、還気吸込口５が室内と連通している。
【０２６３】
また、換気空調装置１Ｌは、間接気化冷却ユニット４より上流側で給気流路９Ｌから分岐し、間接気化冷却ユニット４をバイパスして給気吹出口６へ連通したバイパス流路１０Ｔを備える。
【０２６４】
バイパス流路１０Ｔは、給気流量調整ダンパ１８を備える。給気流量調整ダンパ１８の開度を調整することで、バイパス流路１０Ｔを流れるエアの流量が調整される。これにより、間接気化冷却ユニット４をバイパスして給気吹出口６へ供給されるエアの流量が調整される。
【０２６５】
なお、給気流路９Ｌは、例えば除湿ユニット３３より上流側に空気清浄フィルタ１６を備える。
【０２６６】
＜第８の実施の形態の換気空調装置１Ｌの動作＞
次に、図２１等を参照に第８の実施の形態の換気空調装置１Ｌの動作について説明する。換気空調装置１Ｌは、給気ファン２ａが駆動されると、給気流路９Ｌにおいて給気吹出口６へ向かうエアの流れが生成される。これにより、外気ＯＡが外気吸込口５から吸い込まれ、除湿ユニット３３の除湿流路３５ａ、熱交換エレメント３２の第１の流路３２ａ及び間接気化エレメント１１のプロダクトエア流路１１ｂを通り、給気吹出口６から給気ＳＡとして室内に供給される。
【０２６７】
また、排気ファン２ｂが駆動されると、第１の排気流路１０Ｐおよび第２の排気流路１０Ｑにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂ及び除湿ユニット３３の再生流路３５ａを通り、排気吹出口８から排気ＥＡとして屋外に排出される。
【０２６８】
従って、換気空調装置１Ｌでは、外気ＯＡがプロダクトエアＰＡとなり、還気ＲＡがワーキングエアＷＡとなる。
【０２６９】
除湿ユニット３３では、除湿流路３５ａを通る外気ＯＡが除湿される。但し、除湿ロータ３６が再生流路３５ｂ側ではヒータ３７により加熱された再生空気で加熱されるため、除湿流路３５ａを通った外気ＯＡの温度は上昇する。
【０２７０】
熱交換エレメント３２では、第１の流路３２ａを通る外気ＯＡと、第２の流路３２ｂを通る還気ＲＡの間で熱交換が行われる。図２等で説明したように、夏季においては空気調和装置１１０で空気調和された室内１０２の空気は冷やされているので、還気ＲＡの温度は外気ＯＡの温度よりも低い。
【０２７１】
よって、熱交換エレメント３２の第１の流路３２ａを通った外気ＯＡは温度が下がり、第２の流路３２ｂを通った還気ＲＡは温度が上がる。
【０２７２】
これにより、除湿ユニット３３の除湿流路３５ａを通ることで除湿され且つ加熱された外気ＯＡは、熱交換エレメント３２の第１の流路３２ａを通ることで、湿度は変化せず温度が下がる。
【０２７３】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２７４】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０２７５】
換気空調装置１Ｌでは、給気流量調整ダンパ１８の開度を調整することで、バイパス流路１０Ｔを流れるエアの流量が調整される。
【０２７６】
これにより、間接気化冷却ユニット４をバイパスして給気吹出口６へ供給されるエアの流量が調整される。
【０２７７】
よって、給気流量調整ダンパ１８を作動させて、バイパス流路１０Ｔを流れるエアの流量を調整することで、間接気化冷却ユニット４を通り冷却されたエアと、間接気化冷却ユニット４をバイパスして冷却されていないエアの混合比率が制御され、給気吹出口６からの給気温度が制御される。
【０２７８】
なお、間接気化冷却ユニット４をバイパスしたエア（外気ＯＡ）は、除湿ユニット３３で除湿され、熱交換ユニット３１で冷却されているので、給気ＳＡの湿度が上がることはない。
【０２７９】
そして、還気ＲＡの流量と、給気ＳＡの流量を調整することで、所定時間で部屋の空気を入れ替えるような換気動作が可能である。更に、温度センサ１７ａによる検出温度と湿度センサ１７ｂによる検出湿度から、除湿制御が可能である。
【０２８０】
＜各実施の形態の換気空調装置の変形例＞
上述した各実施の形態の換気空調装置１では、給気流量調整ダンパ１４及び排気流量調整ダンパ１５を間接気化冷却ユニット４の上流側に配置した例で説明したが、間接気化冷却ユニット４の下流側に配置しても良い。
【０２８１】
また、還気ＲＡの一部を給気側に利用するため、還気ＲＡを外気吸込口５と連通させても良い。上述したように、還気ＲＡは夏季は空気調和され冷却されているので、還気ＲＡの一部を給気として利用することで、間接気化冷却ユニット４においてプロダクトエアＰＡ等の入力温度更には入力湿度が下がり、冷却能力が向上する。
【０２８２】
更に、空気清浄フィルタ１６の他に、空気清浄装置としてイオン発生器やオゾン発生器を備えても良い。例えば、イオン発生器は、正イオンと負イオンを発生し、略同数の正イオンと負イオンを供給すると共に、負イオンのみ又は負イオンを正イオンより多く供給する機能を備える。
【０２８３】
このようなイオン発生器を給気吹出口６に備えると、略同数の正イオンと負イオンを含む給気ＳＡが居室等に供給され、カビ等の発生を防いで除菌することができる。なお、負イオンを供給すると、リラックス効果を得ることができる。
【０２８４】
また、イオン発生器を間接気化ユニット４の上流側等、給気流路９の上流側に配置することで、居室だけでなく、装置内の除菌を行うことができる。
【０２８５】
更に、間接気化冷却ユニット４と給気ファン２ａ、排気ファン２ｂ、熱交換ユニット３１及び除湿ユニット３３はそれぞれが同一筐体内に無くても良く、また、ファンは他の機器のファンと兼用しても良い。
【０２８６】
図２２は第９の実施の形態の換気空調装置１Ｎの一例を示す構成図である。ここで、第９の実施の形態の換気空調装置１Ｎにおいて、第１の実施の形態の換気空調装置１Ａと同じ構成要素については、同じ番号を付して説明する。
【０２８７】
換気空調装置１Ｎは、排気ファン２ｂと間接気化冷却ユニット４を備え、室内と連通した還気吸込口７から間接気化冷却ユニット４を構成する間接気化エレメント１１のプロダクトエア流路１１ｂを通り、給気吹出口６へ連通する給気流路９Ｎを備える。
【０２８８】
また、換気空調装置１Ｎは、還気吸込口７から間接気化エレメント１１のワーキングエア流路１１ａ及び排気ファン２ｂを通り、排気吹出口８へ連通する排気流路１０Ｖを備える。
【０２８９】
給気流路９Ｎは、例えば間接気化冷却ユニット４の上流側に給気流量調整ダンパ１４を備える。また、排気流路１０Ｖは、例えば間接気化冷却ユニット４の上流側に排気流量調整ダンパ１５を備える。
【０２９０】
給気流量調整ダンパ１４の開度を調整することで、給気流路９Ｎを流れるエアの流量が調整される。これにより、間接気化エレメント１１のプロダクトエア流路１１ｂを流れるプロダクトエアＰＡの流量が調整される。
【０２９１】
また、排気流量調整ダンパ１５の開度を調整することで、排気流路１０Ｖを流れるエアの流量が調整される。これにより、間接気化エレメント１１のワーキングエア流路１１ａを流れるワーキングエアＷＡの流量が調整される。
【０２９２】
換気空調装置１Ｎは、給気吹出口６に図示しないダクト等を介して給気装置４１等が接続される。給気装置４１は、例えば、外気や室内の空気を吸い込み、室内に給気する装置で、給気装置４１の吸込口４１ａに換気空調装置１Ｎの給気噴出口６が接続される。
【０２９３】
次に、第９の実施の形態の換気空調装置１Ｎの動作について説明する。換気空調装置１Ｎは、給気装置４１が駆動されると、給気流路９Ｎにおいて給気吹出口６へ向かうエアの流れが生成される。これにより、還気ＲＡが還気吸込口７から吸い込まれ、間接気化エレメント１１のプロダクトエア流路１１ｂを通り、給気吹出口６から給気装置４１を介して給気ＳＡとして室内に供給される。
【０２９４】
また、排気ファン２ｂが駆動されると、排気流路１０Ｖにおいて排気吹出口８へ向かうエアの流れが生成される。これにより、還気ＲＡが間接気化エレメント１１のワーキングエア流路１１ａを通り、排気吹出口８から排気ＥＡとして屋外に排出される。
【０２９５】
従って、換気空調装置１Ｎでは、還気ＲＡがプロダクトエアＰＡ及びワーキングエアＷＡとなる。
【０２９６】
上述したしたように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った還気ＲＡは、湿度（絶対湿度）は変化せずに温度は下がる。
【０２９７】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０２９８】
換気空調装置１Ｎでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２９９】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０３００】
更に、排気ファン２ｂの回転数を変化させ風量を制御することでも、ワーキングエアＷＡの流量が調整可能である。
【０３０１】
よって、給気流量調整ダンパ１４と排気流量調整ダンパ１５の少なくとも一方の開度の制御と、排気ファン２ｂの風量の制御を組み合わせて、間接気化エレメント１１におけるプロダクトエアＰＡの出口温度が制御され、給気吹出口６からの給気温度が制御される。
【０３０２】
図２３は第１０の実施の形態の換気空調装置１Ｐの一例を示す構成図である。ここで、第１０の実施の形態の換気空調装置１Ｐにおいて、第３の実施の形態の換気空調装置１Ｄと同じ構成要素については、同じ番号を付して説明する。
【０３０３】
換気空調装置１Ｐは、熱交換ユニット３１と間接気化冷却ユニット４を備え、外気吸込口５から熱交換ユニット３１を構成する熱交換エレメント３２の第１の流路３２ａ及び間接気化冷却ユニット４を構成する間接気化エレメント１１のプロダクトエア流路１１ｂを通り、給気吹出口６へ連通する給気流路９Ｐを備える。
【０３０４】
また、換気空調装置１Ｐは、室内と連通した還気吸込口７から間接気化エレメント１１のワーキングエア流路１１ａを通り、排気吹出口８へ連通する第１の排気流路１０Ｗと、還気吸込口７から熱交換エレメント３２の第２の流路３２ｂを通り、排気吹出口８へ連通する第２の排気流路１０Ｘを備える。
【０３０５】
換気空調装置１Ｐは、給気吹出口６に図示しないダクト等を介して給気装置４１等が接続される。また、還気吸込口７に図示しないダクト等を介して排気装置４２等が接続される。排気装置４２は、例えば、室内の空気を吸い込み、屋外に排気する装置で、排気装置４２の吹出口４２ａに換気空調装置１Ｐの還気吸込口７が接続される。
【０３０６】
次に、第１０の実施の形態の換気空調装置１Ｐの動作について説明する。換気空調装置１Ｐは、給気装置４１が駆動されると、給気流路９Ｐにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気装置４１を介して給気ＳＡとして室内に供給される。
【０３０７】
また、排気装置４２が駆動されると、第１の排気流路１０Ｗ及び第２の排気流路１０Ｘにおいて排気吹出口８へ向かうエアの流れが生成される。これにより、還気ＲＡが排気装置４２を介して間接気化エレメント１１のワーキングエア流路１１ａを通り、排気吹出口８から排気ＥＡとして屋外に排出される。また、還気ＲＡの一部が排気装置４２を介して熱交換エレメント３２の第２の流路３２ｂを通り、排気吹出口８から排気ＥＡとして屋外に排出される。
【０３０８】
従って、換気空調装置１Ｐでは、外気ＯＡがプロダクトエアＰＡとなり、還気ＲＡがワーキングエアＷＡとなる。
【０３０９】
上述したしたように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０３１０】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０３１１】
換気空調装置１Ｐでは、給気装置４１によって、間接気化エレメント１１のプロダクトエア流路１１ｂを通るプロダクトエアＰＡの流量が調整される。また、排気装置４２よって、間接気化エレメント１１のワーキングエア流路１１ａを通るワーキングエアＷＡの流量が調整される。
【０３１２】
これにより、給気装置４１と排気装置４２の何れか、あるいは双方で流量を制御することで、図３及び図４で説明したように、間接気化エレメント１１におけるプロダクトエアＰＡの出口温度が制御される。よって、給気吹出口６からの給気温度が制御される。
【０３１３】
上述したように、建築基準法によって建物の換気が義務付けられたことで、１台で給気と排気が行える換気装置や、排気のみ、あるいは給気のみが行える換気装置（中間ダクトファン等と称される）が建物に取り付けられる。このような他の換気装置と接続することで、換気空調装置１Ｎのように、ファンとして排気ファン２ｂのみを備える構成や、換気空調装置１Ｐのように、給気ファンと排気ファンを共に備えない構成とすることも可能で、ファンを搭載しないことで、製品コストを下げることができる。
【０３１４】
＜ワーキングエアを再利用した換気空調装置の構成例＞
図２４は第１１の実施の形態の換気空調装置１Ｑの一例を示す構成図である。換気空調装置１Ｑは、間接気化冷却ユニット４を構成する間接気化エレメント１１のワーキングエアＷＡを、熱交換ユニット３１を通して排気するものである。なお、換気空調装置の全体構成としては、第３の実施の形態の換気空調装置１Ｄを例に説明する。
【０３１５】
換気空調装置１Ｑは給気ファン２ａと排気ファン２ｂと熱交換ユニット３１と間接気化冷却ユニット４を備え、外気ＯＡを間接気化エレメント１１のプロダクトエアＰＡとして利用し、還気ＲＡをワーキングエアＷＡとして利用する。
【０３１６】
給気流路９Ｄは、給気ファン２ａから熱交換エレメント３２の第１の流路３２ａ及び間接気化エレメント１１のプロダクトエア流路１１ｂを通り、給気吹出口６へ連通する。
【０３１７】
換気流路１０Ｙは、室内と連通した還気吸込口７から間接気化エレメント１１のワーキングエア流路１１ａ、熱交換エレメント３２の第２の流路３２ｂ及び排気ファン２ｂを通り、排気吹出口８へ連通する。なお、排気流路１０Ｙの破線で示す部分は、給気流路９Ｄ等と独立するように、例えばケースの側壁に沿って形成される。
【０３１８】
給気流路９Ｄは、例えば熱交換ユニット３１の上流側に給気流量調整ダンパ１４を備え、給気流量調整ダンパ１４の開度を調整することで、間接気化エレメント１１のプロダクトエア流路１１ｂを流れるプロダクトエアＰＡの流量が調整される。
【０３１９】
排気流路１０Ｙは、例えば間接気化冷却ユニット４の上流側に排気流量調整ダンパ１５を備え、排気流量調整ダンパ１５の開度を調整することで、間接気化エレメント１１のワーキングエア流路１１ａを流れるワーキングエアＷＡの流量が調整される。
【０３２０】
次に、換気空調装置１Ｑの動作について説明する。換気空調装置１Ｑは、給気ファン２ａが駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０３２１】
また、排気ファン２ｂが駆動されると、排気流路１０Ｙにおいて排気吹出口８へ向かうエアの流れが生成される。これにより、室内からの還気ＲＡが還気吸込口７から吸い込まれ、間接気化エレメント１１のワーキングエア流路１１ａ及び熱交換エレメント３２の第２の流路３２ｂを通り、排気吹出口８から排気ＥＡとして屋外に排出される。
【０３２２】
従って、換気空調装置１Ｑでは、外気ＯＡがプロダクトエアＰＡとなり、還気ＲＡがワーキングエアＷＡとなる。
【０３２３】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０３２４】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０３２５】
熱交換エレメント３２では、第１の流路３２ａを通る外気ＯＡと、第２の流路３２ｂを通る還気ＲＡの間で熱交換が行われる。還気ＲＡは間接気化エレメント１１のワーキングエア流路１１ａを通ることで温度が下げられ、外気ＯＡの温度よりも低くなっている。
【０３２６】
よって、熱交換エレメント３２の第１の流路３２ａを通った外気ＯＡは温度が下がる。ここで、還気ＲＡは間接気化エレメント１１のワーキングエア流路１１ａを通ることで高湿度となるが、熱交換エレメント３２は顕熱交換を行う熱交換エレメントであるので、外気ＯＡの湿度は変化しない。
【０３２７】
これにより、間接気化エレメント１１のワーキングエア流路１１ａを通過した還気ＲＡを熱交換エレメント３２の第２の流路３２ｂを通すことで、間接気化冷却ユニット４の前段で外気ＯＡを効率的に冷却できる。
【０３２８】
図７で説明したように、プロダクトエアＰＡの入力温度が低いと、プロダクトエアＰＡの出口温度が下がるので、間接気化冷却ユニット４の前段に熱交換ユニット３１を配置すると共に、ワーキングエアＷＡを熱交換ユニット３１に通すことで、プロダクトエアＰＡの入力温度が効率的に下がり、冷却能力が向上する。
【０３２９】
換気空調装置１Ｑでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０３３０】
これにより、給気流量調整ダンパ１４と排気流量調整ダンパ１５の何れか、あるいは双方を作動させて、例えば、ワーキングエアＷＡの流量を増加させると、間接気化エレメント１１におけるプロダクトエアＰＡの出口温度が低下することで、給気吹出口６からの給気温度を下げることができる。
【０３３１】
また、ワーキングエアＷＡの流量を減少させると、間接気化エレメント１１におけるプロダクトエアＰＡの出口温度が上昇することで、給気吹出口６からの給気温度を上げることができる。
【０３３２】
また、給気ファン２ａと排気ファン２ｂの何れか、あるいは給気ファン２ａと排気ファン２ｂの双方の風量を制御することで、間接気化エレメント１１におけるプロダクトエアＰＡの出口温度が制御され、給気吹出口６からの給気温度が制御される。
【０３３３】
更に、給気流量調整ダンパ１４と排気流量調整ダンパ１５の少なくとも一方の開度の制御と、給気ファン２ａと排気ファン２ｂの少なくとも一方の風量の制御を組み合わせても、間接気化エレメント１１におけるプロダクトエアＰＡの出口温度が制御され、給気吹出口６からの給気温度が制御される。
【０３３４】
＜除湿ユニットに排熱を利用した換気空調装置の構成例＞
図２５は第１２の実施の形態の換気空調装置１Ｓの一例を示す構成図である。換気空調装置１Ｓは、再生空気の熱源に排熱を利用したものである。なお、換気空調装置の全体構成としては、第５の実施の形態の換気空調装置１Ｇを例に説明する。
【０３３５】
換気空調装置１Ｓは、除湿ユニット３３を備える。除湿ユニット３３は、再生流路３５ｂを通るエア（再生空気）を加熱するヒータ３７を備えるが、ヒータ３７の熱源に排熱を利用する。
【０３３６】
排熱の発生源としては、例えば、エアコンの室外機３８を利用する。室外機３８に温風の収集器３８ａを取り付け、ダクト３９ａ等を介してヒータ３７に温風を送る。
【０３３７】
ヒータ３７は、例えばコイル状に巻いたパイプの中に室外機３８からの温風を通し、再生流路３５ｂを通る再生空気を加熱する。ヒータ３７を通った温風は、ダクト３９ｂ等を介して排気装置４２で排気される。
【０３３８】
換気空調装置１Ｓの動作は第７の実施の形態の換気空調装置１Ｇと同様である。還気ＲＡの一部を再生空気として利用するが、再生空気の加熱に室外機３８の排熱を利用することで、ヒータ３７の駆動源を換気空調装置１Ｓに備える必要がなく、例えばヒータ３７に電気ヒータを利用する場合と比較して、消費電力を抑えることができる。
【０３３９】
なお、ヒータ３７の熱源としては、室外機の排熱の他、ガスや電気で湯を沸かす給湯器において湯を沸かすための熱による温風や温水を利用しても良い。
【０３４０】
＜給気を分岐する換気空調装置の構成例＞
図２６は第１３の実施の形態の換気空調装置１Ｔの一例を示す構成図である。換気空調装置１Ｔは、給気吹出口６を複数備えると共に、各給気吹出口６で流量を制御できるようにしたものである。なお、換気空調装置の全体構成としては、第１の実施の形態の換気空調装置１Ａを例に説明する。
【０３４１】
換気空調装置１Ｔは、給気吹出口として本例では第１の給気吹出口６ａと第２の給気吹出口６ｂを備える。また、換気空調装置１Ｔは給気ファン２ａと排気ファン２ｂと間接気化冷却ユニット４を備え、給気流路９Ａは、給気ファン２ａから間接気化エレメント１１のプロダクトエア流路１１ｂを通り、第１の給気吹出口６ａ及び第２の給気吹出口６ｂへ連通する。
【０３４２】
換気流路１０Ａは、室内と連通した還気吸込口７から間接気化エレメント１１のワーキングエア流路１１ａ及び排気ファン２ｂを通り、排気吹出口８へ連通する。
【０３４３】
給気流路９Ａは、例えば間接気化冷却ユニット４の上流側に給気流量調整ダンパ１４を備える。また、排気流路１０Ａは、例えば間接気化冷却ユニット４の上流側に排気流量調整ダンパ１５を備える。
【０３４４】
更に、第１の給気吹出口６ａと第２の給気吹出口６ｂの少なくとも一方に給気流量調整ダンパ１９を備える。本例では、第２の給気吹出口６ｂに給気流量調整ダンパ１９を備える。給気流量調整ダンパ１９の開度を調整することで、第２の給気吹出口６ｂを流れる給気ＳＡの流量が調整される。
【０３４５】
次に、換気空調装置１Ｔの動作について説明する。換気空調装置１Ｔは、給気ファン２ａが駆動されると、給気流路９Ａにおいて第１の給気吹出口６ａ及び第２の給気吹出口６ｂへ向かうエアの流れが生成される。これにより、外気ＯＡが外気吸込口５から吸い込まれ、空気清浄フィルタ１６、間接気化エレメント１１のプロダクトエア流路１１ｂを通り、第１の給気吹出口６ａ及び第２の給気吹出口６ｂから給気ＳＡとして室内に供給される。
【０３４６】
また、排気ファン２ｂが駆動されると、排気流路１０Ｂにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【０３４７】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０３４８】
図２等で説明したように、夏季においては空気調和装置１１０で空気調和された室内１０２の空気は冷やされているので、還気ＲＡをワーキングエアＷＡとして利用することで、間接気化エレメント１１におけるプロダクトエアＰＡの出口温度を下げることができ、間接気化エレメント１１のプロダクトエア流路１１ｂを通過した外気ＯＡを、給気吹出口６から給気ＳＡとして吹き出すことで、換気に伴う室内の温度上昇を防ぐことができる。
【０３４９】
換気空調装置１Ｔでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０３５０】
これにより、給気流量調整ダンパ１４と排気流量調整ダンパ１５の何れか、あるいは双方を作動させて、第１の給気吹出口６ａ及び第２の給気吹出口６ｂから吹き出す給気ＳＡの温度が制御される。
【０３５１】
更に、換気空調装置１Ｔでは、給気流量調整ダンパ１９を作動させることで、第１の給気吹出口６ａから吹き出す給気ＳＡの流量と、第２の給気吹出口６ｂから吹き出す給気ＳＡの流量が制御される。
【０３５２】
例えば、給気流量調整ダンパ１９の開度を大きくすることで、第２の給気吹出口６ｂから吹き出す給気ＳＡの流量を増加させることができ、給気流量調整ダンパ１９の開度を小さくすることで、第２の給気吹出口６ｂから吹き出す給気ＳＡの流量を減少させることができる。
【０３５３】
図３に示すように、換気空調装置１から複数の居室１１２へ給気する場合、換気空調装置１から各居室１１２までの距離が均等ではないので、各ダクト１０６の長さが異なる場合が多い。
【０３５４】
給気ＳＡを同一の流量として、長さの異なるダクト１０６で各居室１１２に給気すると、居室１１２では冷却温度が異なる。また、居室１１２の広さの違いによっても冷却温度が異なる。このため、図２６に示すように、複数の給気吹出口６で流量を調整できるようにし、ダクト１０６の長さ等に応じて風量を制御すれば、各居室１１２の冷却温度を略同一にすることができる。
【０３５５】
なお、図２６では給気吹出口は２個の例を説明したが、２個以上でも良い。また、流量の調整はダンパで行うこととしたが、給気吹出口６の径を可変とできる構成でも良い。
【０３５６】
また、還気ＲＡを複数の居室等から行う場合、還気吸込口７を複数備えても良い。この場合、少なくとも１個の還気吸込口７にダンパを備えることで、還気ＲＡの流量が調整され、部屋毎の還気流流量を調整し、例えばある部屋からの還気は停止する等の制御を行うことができる。
【産業上の利用可能性】
【０３５７】
本発明は、住宅や住宅以外の人の居る空間の換気及び空調を行う換気空調装置に適用される。
【図面の簡単な説明】
【０３５８】
【図１】第１の実施の形態の換気空調装置１Ａの一例を示す構成図である。
【図２】第１の実施の形態の換気空調装置を備えた空調システムの一例を示す構成図である。
【図３】空調システムが設置される建物の一例を示す構成図である。
【図４】間接気化エレメント１１の概要を示す説明図である。
【図５】ワーキングエアＷＡの流量とプロダクトエアＰＡの出口温度の関係を示すグラフである。
【図６】プロダクトエアＰＡの流量とプロダクトエアＰＡの出口温度の関係を示すグラフである。
【図７】ワーキングエアＷＡ及びプロダクトエアＰＡの入口温度とプロダクトエアＰＡの出口温度の関係を示すグラフである。
【図８】ワーキングエアＷＡ及びプロダクトエアＰＡの入口温度と水の消費量の関係を示すグラフである。
【図９】ワーキングエアＷＡ及びプロダクトエアＰＡの入口湿度とプロダクトエアＰＡの出口温度の関係を示すグラフである。
【図１０】室内空気湿度とプロダクトエアＰＡの出口温度の関係を示すグラフである。
【図１１】換気空調装置の制御機能の一例を示すブロック図である。
【図１２】温度と絶対湿度の関係を示す空気線図である。
【図１３】除湿制御の一例を示すフローチャートである。
【図１４】第１の実施の形態の換気空調装置の変形例を示す構成図である。
【図１５】第２の実施の形態の換気空調装置１Ｃの一例を示す構成図である。
【図１６】第３の実施の形態の換気空調装置１Ｄの一例を示す構成図である。
【図１７】第４の実施の形態の換気空調装置１Ｆの一例を示す構成図である。
【図１８】第５の実施の形態の換気空調装置１Ｇの一例を示す構成図である。
【図１９】第６の実施の形態の換気空調装置１Ｉの一例を示す構成図である。
【図２０】第７の実施の形態の換気空調装置１Ｊの一例を示す構成図である。
【図２１】第８の実施の形態の換気空調装置１Ｌの一例を示す構成図である。
【図２２】第９の実施の形態の換気空調装置１Ｎの一例を示す構成図である。
【図２３】第１０の実施の形態の換気空調装置１Ｐの一例を示す構成図である。
【図２４】第１１の実施の形態の換気空調装置１Ｑの一例を示す構成図である。
【図２５】第１２の実施の形態の換気空調装置１Ｓの一例を示す構成図である。
【図２６】第１３の実施の形態の換気空調装置１Ｔの一例を示す構成図である。
【符号の説明】
【０３５９】
１・・・換気空調装置、２ａ・・・給気ファン、２ｂ・・・排気ファン、３・・・ファンモータ、３ａ・・・給気ファンモータ、３ｂ・・・排気ファンモータ、４・・・間接気化冷却ユニット、５・・・外気吸込口、６・・・給気吹出口、７・・・還気吸込口、８・・・・排気吹出口、９・・・給気流路、１０・・・排気流路、１１・・・間接気化エレメント、１１ａ・・・ワーキングエア流路、１１ｂ・・・プロダクトエア流路、１２・・・給排水装置、１２ａ・・・給水バルブ、１２ｂ・・・排水バルブ、１３・・・ドレンパン、１４・・・給気流量調整ダンパ、１５・・・排気流量調整ダンパ、１６・・・空気清浄フィルタ、１７ａ・・・温度センサ、１７ｂ・・・湿度センサ、１８・・・給気流量調整ダンパ、１９・・・給気流量調整ダンパ、２１・・・ドライセル、２１ａ・・・仕切り、２１ｂ・・・第１の流路、２２・・・ウェットセル、２２ａ・・・仕切り、２２ｂ・・・第２の流路、２３・・・隔壁、２３ａ・・・防湿フィルム、２３ｂ・・・湿潤層、２３ｃ・・・通気口、２４・・・閉塞部、３１・・・熱交換ユニット、３２・・・熱交換エレメント、３２ａ・・・第１の流路、３２ｂ・・・第２の流路、３３・・・除湿ユニット、３４・・・隔壁、３５ａ・・・除湿流路、３５ｂ・・・再生流路、３６・・・除湿ロータ、３７・・・ヒータ、９１・・・空調システム、１０１・・・建物、１０２・・・室内、１０３・・・吸気グリル、１０４・・・ダクト、１０５・・・給気グリル、１０６・・・ダクト、１０７・・・還気グリル、１０８・・・排気グリル、１０９・・・ダクト、１１０・・・空気調和装置、１１２・・・居室、１１３・・・トイレ、１１４ａ・・・洗面所、１１４ｂ・・・浴室、１１５・・・廊下、１１７・・・ダクト、１１８・・・ベランダ、１１９・・・ドレン排水口、１１９ａ・・・ホース、１２０・・・ドア、１２０ａ・・・アンダーカット部
【図１】
2006145145.tif 000005
【図２】
2006145145.tif 000006
【図３】
2006145145.tif 000007
【図４】
2006145145.tif 000008
【図５】
2006145145.tif 000009
【図６】
2006145145.tif 000010
【図７】
2006145145.tif 000011
【図８】
2006145145.tif 000012
【図９】
2006145145.tif 000013
【図１０】
2006145145.tif 000014
【図１１】
2006145145.tif 000015
【図１２】
2006145145.tif 000016
【図１３】
2006145145.tif 000017
【図１４】
2006145145.tif 000018
【図１５】
2006145145.tif 000019
【図１６】
2006145145.tif 000020
【図１７】
2006145145.tif 000021
【図１８】
2006145145.tif 000022
【図１９】
2006145145.tif 000023
【図２０】
2006145145.tif 000024
【図２１】
2006145145.tif 000025
【図２２】
2006145145.tif 000026
【図２３】
2006145145.tif 000027
【図２４】
2006145145.tif 000028
【図２５】
2006145145.tif 000029
【図２６】
2006145145.tif 000030